(57)【要約】【課題】光ディスクの記録面と垂直なケース側面からリーダ／ライタを近づけた場合でも、光ディスク上の非接触型ＩＣチップと容易に通信できるようにする。【解決手段】表面カバー部１１１と裏面カバー部１１２は側面部１１３を介して折り曲げ可能に接続され、非接触型のＩＣチップと、ディスク回転中心の周囲に形成された非接触通信用のアンテナとが設けられた第１の光ディスクおよび第２の光ディスクが、ディスク保持部１２２および１３２にそれぞれ保持される。ブースタアンテナユニット２０ａおよび２０ｂは、例えばケース外面に固着される。このとき、アンテナコイル２１ａおよび２１ｂの各形成領域は、それぞれの中央部がディスク保持部１２２および１３２の中心と一致するように配設され、アンテナコイル２２ａおよび２２ｂの各形成領域は、側面部１１３の外面に配設される。【選択図】図６
2008251146.tif 000002
【特許請求の範囲】
【請求項１】
複数の光ディスクが収納される光ディスクケースにおいて、
表面カバー部と裏面カバー部とがそれぞれの主面の端部側を中心として回転可能な状態で接続されて、前記表面カバー部および前記裏面カバー部の各主面が対向するように閉塞されたときに箱形の外形をなすように構成され、
前記表面カバー部の主面の内側に、第１の光ディスクに形成された中央孔に嵌合して前記第１の光ディスクを保持するための第１の凸状保持部が設けられ、
前記裏面カバー部の主面の内側に、第２の光ディスクに形成された中央孔に嵌合して前記第２の光ディスクを保持するための第２の凸状保持部が、前記表面カバー部および前記裏面カバー部の閉塞時に前記第１の凸状保持部と互いに中心が一致するように設けられ、
さらに、第１のアンテナと第２のアンテナとが接続されてそれぞれが送受信する信号を中継する少なくとも１つのブースタアンテナを備え、
前記第１のアンテナが、その中央部が前記第１の凸状保持部および前記第２の凸状保持部の各中心と一致し、かつ、その外形が前記表面カバー部の主面または前記裏面カバー部の主面と平行な状態となるように配置され、前記第２のアンテナが、前記表面カバー部および前記裏面カバー部を閉塞したときの１つの側面に対して、その外形が平行な状態で当接または近接するように、前記ブースタアンテナが配設されたことを特徴とする光ディスクケース。
【請求項２】
前記第１のアンテナおよび前記第２のアンテナを備え、前記第１のアンテナが、その中央部が前記第１の凸状保持部の中心と一致し、かつ、その外形が前記表面カバー部の主面と平行な状態となるように配置された第１のブースタアンテナと、
前記第１のアンテナおよび前記第２のアンテナを備え、前記第１のアンテナが、その中央部が前記第２の凸状保持部の中心と一致し、かつ、その外形が前記裏面カバー部の主面と平行な状態となるように配置された第２のブースタアンテナと、
を有し、前記第１のブースタアンテナと前記第２のブースタアンテナのそれぞれの前記第２のアンテナが、前記表面カバー部および前記裏面カバー部を閉塞したときの同じ側面に当接または近接するように配置されたことを特徴とする請求項１記載の光ディスクケース。
【請求項３】
前記第１のブースタアンテナは、前記第１のアンテナが前記表面カバー部の主面の外側に配置されるように、前記表面カバー部および前記裏面カバー部を閉塞したときのケース外面に固着され、前記第２のブースタアンテナは、前記第１のアンテナが前記裏面カバー部の主面の外側に配置されるように、前記表面カバー部および前記裏面カバー部を閉塞したときのケース外面に固着されたことを特徴とする請求項２記載の光ディスクケース。
【請求項４】
前記表面カバー部における前記第１のブースタアンテナの前記第１のアンテナに対する反対面に、当該第１のアンテナの形成領域と対応する位置にシート状の第１の高透磁率部材が固着され、前記裏面カバー部における前記第２のブースタアンテナの前記第１のアンテナに対する反対面に、当該第１のアンテナの形成領域と対応する位置にシート状の第２の高透磁率部材が固着されたことを特徴とする請求項３記載の光ディスクケース。
【請求項５】
前記第１の高透磁率部材は、前記第１のブースタアンテナにおける前記第１のアンテナの形成領域より広く形成され、前記第２の高透磁率部材は、前記第２のブースタアンテナにおける前記第１のアンテナの形成領域より広く形成されたことを特徴とする請求項４記載の光ディスクケース。
【請求項６】
前記第１のブースタアンテナおよび前記第２のブースタアンテナは、ともに、前記表面カバー部および前記裏面カバー部を閉塞したときのケース内部に配設され、前記第１のブースタアンテナにおける前記第１のアンテナは、前記表面カバー部の主面の内側に、前記第１の凸状保持部を囲むように固着され、前記第２のブースタアンテナにおける前記第１のアンテナは、前記裏面カバー部の主面の内側に、前記第２の凸状保持部を囲むように固着されたことを特徴とする請求項２記載の光ディスクケース。
【請求項７】
前記第１のブースタアンテナの前記第１のアンテナと前記表面カバー部との間、または前記表面カバー部の外面に、当該第１のアンテナの形成領域と対応する位置にシート状の第１の高透磁率部材が配設され、前記第２のブースタアンテナの前記第１のアンテナと前記裏面カバー部との間、または前記裏面カバー部の外面に、当該第１のアンテナの形成領域と対応する位置にシート状の第２の高透磁率部材が配設されたことを特徴とする請求項６記載の光ディスクケース。
【請求項８】
前記第１の高透磁率部材は、前記第１のブースタアンテナにおける前記第１のアンテナの形成領域より広く形成され、前記第２の高透磁率部材は、前記第２のブースタアンテナにおける前記第１のアンテナの形成領域より広く形成されたことを特徴とする請求項７記載の光ディスクケース。
【請求項９】
前記表面カバー部と前記裏面カバー部とが、閉塞時に１つの側面を構成する側面部の両端においてそれぞれ折り曲げ可能な状態で接続されて、前記表面カバー部、前記裏面カバー部、および前記側面部が一体に形成された構成を有し、
さらに、
前記表面カバー部、前記裏面カバー部、および前記側面部の外面を覆うように四角形状の透明フィルムが配設され、
前記透明フィルムと前記表面カバー部、前記裏面カバー部、および前記側面部との間にパッケージ表示用のカード部材が挿入され、
前記第１のアンテナが前記表面カバー部の外面に配置され、前記第２のアンテナが前記側面部の外面に配置されるように、前記第１のブースタアンテナが前記カード部材に設けられ、
前記第１のアンテナが前記裏面カバー部の外面に配置され、前記第２のアンテナが前記側面部の外面に配置されるように、前記第２のブースタアンテナが前記カード部材に設けられたことを特徴とする請求項２記載の光ディスクケース。
【請求項１０】
前記第１のブースタアンテナの前記第１のアンテナと前記カード部材との間に、シート状の第１の高透磁率部材が配設され、前記第２のブースタアンテナの前記第１のアンテナと前記カード部材との間に、シート状の第２の高透磁率部材が配設されたことを特徴とする請求項９記載の光ディスクケース。
【請求項１１】
前記第１の高透磁率部材は、前記第１のブースタアンテナにおける前記第１のアンテナの形成領域より広く形成され、前記第２の高透磁率部材は、前記第２のブースタアンテナにおける前記第１のアンテナの形成領域より広く形成されたことを特徴とする請求項１０記載の光ディスクケース。
【請求項１２】
前記第１のブースタアンテナおよび前記第２のブースタアンテナのそれぞれにおける前記第２のアンテナが、前記表面カバー部および裏面カバー部を閉塞したときに、前記表面カバー部および前記裏面カバー部の回転中心側の側面に対して当接または近接するように、前記第１のブースタアンテナおよび前記第２のブースタアンテナが配設されたことを特徴とする請求項２記載の光ディスクケース。
【請求項１３】
前記裏面カバー部に対して、別部材として構成された前記表面カバー部が回転可能な状態で連結された構成を有することを特徴とする請求項１記載の光ディスクケース。
【請求項１４】
前記ブースタアンテナは、前記第１のアンテナと前記第２のアンテナがフレキシブル基板上に一体に形成されたブースタアンテナユニットとして構成されることを特徴とする請求項１記載の光ディスクケース。
【請求項１５】
前記第１のアンテナと前記第２のアンテナは、スパイラル状またはループ状に形成されたことを特徴とする請求項１記載の光ディスクケース。
【請求項１６】
前記表面カバー部または前記裏面カバー部の少なくとも一方の外面または内面であって、前記ブースタアンテナよりもケース外側における前記第１のアンテナの形成領域と対応する位置に、シート状の高透磁率部材が配設されたことを特徴とする請求項１記載の光ディスクケース。
【請求項１７】
前記高透磁率部材は、前記ブースタアンテナにおける前記第１のアンテナの形成領域より広く形成されたことを特徴とする請求項１６記載の光ディスクケース。
【請求項１８】
複数の光ディスクが収納される光ディスクケースにおいて、
第１の光ディスクに形成された中央孔に嵌合して前記第１の光ディスクを保持するための第１の凸状保持部が、その主面の一方の面に設けられ、第２の光ディスクに形成された中央孔に嵌合して前記第２の光ディスクを保持するための第２の凸状保持部が、前記第１の凸状保持部と互いに中心が一致するように、前記一方の面に平行な他方の面に設けられた中央トレイ部材と、
前記中央トレイ部材の一端側を中心として、前記中央トレイ部材に対してそれぞれ回転可能な状態で連結された表面カバー部および裏面カバー部と、
を有して、前記表面カバー部の主面および前記裏面カバー部の主面が前記中央トレイ部材の主面にそれぞれ対向するように閉塞されたときに、箱形の外形をなすように構成され、
さらに、第１のアンテナと第２のアンテナとが接続されてそれぞれが送受信する信号を中継する少なくとも１つのブースタアンテナを備え、
前記第１のアンテナが、その中央部が前記第１の凸状保持部および前記第２の凸状保持部の各中心と一致し、かつ、その外形が前記中央トレイ部材の主面と平行な状態となるように配置され、前記第２のアンテナが、前記中央トレイ部材の主面の一端の近傍において、その外形が前記第１のアンテナの外形に対して垂直な状態で配置されるように、前記ブースタアンテナが前記中央トレイ部材の少なくとも前記一方の面に配設されたことを特徴とする光ディスクケース。
【請求項１９】
前記第１のアンテナおよび前記第２のアンテナを備え、前記第１のアンテナが前記第１の凸状保持部を囲むように前記中央トレイ部材の前記一方の面に固着された第１のブースタアンテナと、
前記第１のアンテナおよび前記第２のアンテナを備え、前記第１のアンテナが前記第２の凸状保持部を囲むように前記中央トレイ部材の主面の他方の面に固着された第２のブースタアンテナと、
を有し、前記第１のブースタアンテナと前記第２のブースタアンテナのそれぞれの前記第２のアンテナが、前記表面カバー部および前記裏面カバー部を閉塞したときの同じ側面に当接または近接するように配置されたことを特徴とする請求項１８記載の光ディスクケース。
【請求項２０】
前記第１のブースタアンテナと前記第２のブースタアンテナのそれぞれの前記第２のアンテナが、前記表面カバー部および裏面カバー部を閉塞したときに、前記表面カバー部および前記裏面カバー部の回転中心側の側面に対して当接または近接するように、前記第１のブースタアンテナおよび前記第２のブースタアンテナが配設されたことを特徴とする請求項１９記載の光ディスクケース。
【請求項２１】
前記第１のブースタアンテナの前記第１のアンテナと、前記第２のブースタアンテナの前記第１のアンテナとの間に、シート状の高透磁率部材が平行に配設されたことを特徴とする請求項１９記載の光ディスクケース。
【請求項２２】
前記高透磁率部材は、前記第１のブースタアンテナおよび前記第２のブースタアンテナのそれぞれにおける前記第１のアンテナの形成領域より広く形成されたことを特徴とする請求項２１記載の光ディスクケース。
【請求項２３】
前記高透磁率部材は、前記中央トレイ部材の少なくとも前記一方の面に配設されたことを特徴とする請求項２１記載の光ディスクケース。
【請求項２４】
前記表面カバー部の主面の内側に、第３の光ディスクに形成された中央孔に嵌合して前記第３の光ディスクを保持するための第３の凸状保持部が、前記表面カバー部を閉塞したときに前記第１の凸状保持部と互いに中心が一致するように設けられ、
前記裏面カバー部の主面の内側に、第４の光ディスクに形成された中央孔に嵌合して前記第４の光ディスクを保持するための第４の凸状保持部が、前記裏面カバー部を閉塞したときに前記第２の凸状保持部と互いに中心が一致するように設けられたことを特徴とする請求項１９記載の光ディスクケース。
【請求項２５】
前記第１のアンテナおよび前記第２のアンテナを備え、前記第１のアンテナが前記第３の凸状保持部を囲むように、前記表面カバー部の主面の内側に配設された第３のブースタアンテナと、
前記第１のアンテナおよび前記第２のアンテナを備え、前記第１のアンテナが前記第４の凸状保持部を囲むように、前記裏面カバー部の主面の内側に配設された第４のブースタアンテナと、
をさらに有し、前記第３のブースタアンテナと前記第４のブースタアンテナのそれぞれの前記第２のアンテナが、前記表面カバー部および前記裏面カバー部を閉塞したとき、前記第１のブースタアンテナおよび前記第２のブースタアンテナの前記各第２のアンテナの配設位置と同じ側面に当接または近接するように配置されたことを特徴とする請求項２４記載の光ディスクケース。
【請求項２６】
前記第３の凸状保持部が一体に形成された表側トレイ部材が前記表面カバー部の内側に嵌着され、前記第４の凸状保持部が一体に形成された裏側トレイ部材が前記裏面カバー部の内側に嵌着された構成を有し、
前記第３のブースタアンテナおよび前記第４のブースタアンテナは、前記表側トレイ部材および前記裏側トレイ部材にそれぞれ固着されたことを特徴とする請求項２５記載の光ディスクケース。
【請求項２７】
シート状の高透磁率部材が、前記表面カバー部の主面の内側、および前記裏面カバー部の主面の内側に対して、それぞれ前記第３の凸状保持部および前記第４の凸状保持部を囲むように配設されたことを特徴とする請求項２４記載の光ディスクケース。
【請求項２８】
前記各高透磁率部材は、前記第１のブースタアンテナおよび前記第２のブースタアンテナの前記各第１のアンテナの形成領域より広く形成されたことを特徴とする請求項２７記載の光ディスクケース。
【請求項２９】
前記表面カバー部または前記裏面カバー部の少なくとも一方の外面または内面であって、前記ブースタアンテナよりもケース外側の位置に、前記表面カバー部および前記裏面カバー部を前記中央トレイ部材に対して閉塞したときに前記第１のアンテナの形成領域と対向するように、シート状の高透磁率部材が配設されたことを特徴とする請求項１８記載の光ディスクケース。
【請求項３０】
前記高透磁率部材は、前記ブースタアンテナにおける前記第１のアンテナの形成領域より広く形成されたことを特徴とする請求項２９記載の光ディスクケース。
【請求項３１】
前記表面カバー部または前記裏面カバー部の少なくとも一方の主面の内側にカード部材が保持され、
前記カード部材の一方の面に、シート状の高透磁率部材が、前記表面カバー部と前記裏面カバー部とを閉塞したときに前記第１のアンテナと対向するように固着されたことを特徴とする請求項１８記載の光ディスクケース。
【請求項３２】
前記高透磁率部材は、前記ブースタアンテナにおける前記第１のアンテナの形成領域より広く形成されたことを特徴とする請求項３１記載の光ディスクケース。
【請求項３３】
表面カバー部と裏面カバー部とが、閉塞時に１つの側面を構成する側面部の両端においてそれぞれ折り曲げ可能な状態で接続されて、前記表面カバー部および前記裏面カバー部の各主面が対向するように閉塞されたときに箱形の外形をなし、前記表面カバー部の内面と前記裏面カバー部の内面にそれぞれ光ディスクが保持されるように構成された光ディスクケースに対して、前記表面カバー部、前記裏面カバー部、および前記側面部の外面を覆うように搭載可能なカード部材において、
第１のアンテナと第２のアンテナとが接続されてそれぞれが送受信する信号を中継する少なくとも１つのブースタアンテナを有し、
前記第１のアンテナが前記表面カバー部または前記裏面カバー部に対応する領域に配置され、前記第２のアンテナが前記側面部に対応する領域に配置されるように、前記ブースタアンテナが配設され、かつ、前記ブースタアンテナは、前記表面カバー部または前記裏面カバー部と前記側面部との境界に対応する部分で折り曲げ可能であることを特徴とするカード部材。
【請求項３４】
前記ブースタアンテナの前記第１のアンテナと前記カード部材との間に、シート状の高透磁率部材が配設されたことを特徴とする請求項３３記載のカード部材。
【請求項３５】
前記高透磁率部材は、前記ブースタアンテナにおける前記第１のアンテナの形成領域より広く形成されたことを特徴とする請求項３４記載のカード部材。
【請求項３６】
前記第１のアンテナが前記表面カバー部に対応する領域に配置され、前記第２のアンテナが前記側面部に対応する領域に配置された第１のブースタアンテナと、
前記第１のアンテナが前記裏面カバー部に対応する領域に配置され、前記第２のアンテナが前記側面部に対応する領域に配置された第２のブースタアンテナと、
を有することを特徴とする請求項３３記載のカード部材。
【請求項３７】
表面カバー部と裏面カバー部とがそれぞれの主面の端部側を中心として回転可能な状態で接続されて、前記表面カバー部および前記裏面カバー部の各主面が対向するように閉塞されたときに箱形の外形をなすように構成され、前記表面カバー部の主面の内側および前記裏面カバー部の主面の内側に、第１の光ディスクおよび第２の光ディスクにそれぞれ形成された中央孔に嵌合して前記第１の光ディスクおよび前記第２の光ディスクを保持するための第１の凸状保持部および第２の凸状保持部が、前記表面カバー部および前記裏面カバー部を閉塞したときに互いに中心が一致するようにそれぞれ設けられた光ディスクケースの製造方法において、
略平板状に形成されて、第１のアンテナと第２のアンテナとが接続されてそれぞれが送受信する信号を中継するブースタアンテナを、前記表面カバー部または前記裏面カバー部の少なくとも一方に対して取り付ける工程を含み、
前記工程では、前記第１のアンテナが、その中央部が前記第１の凸状保持部または前記第２の凸状保持部の中心と一致し、かつ、その外形が前記表面カバー部または裏面カバー部の主面と平行な状態となるように配置され、さらに、前記第２のアンテナが、前記表面カバー部と前記裏面カバー部を閉塞したときの１つの側面に対して、その外形が平行な状態で当接または近接するように、前記ブースタアンテナを配設することを特徴とする光ディスクケースの製造方法。
【請求項３８】
前記ブースタアンテナを前記表面カバー部または前記裏面カバー部の少なくとも一方に対して取り付ける前に、前記第２のアンテナが前記第１のアンテナに対して垂直になるように前記ブースタアンテナを折り曲げておくことを特徴とする請求項３７記載の光ディスクケースの製造方法。
【請求項３９】
前記ブースタアンテナを前記表面カバー部または前記裏面カバー部の少なくとも一方に対して取り付ける前に、シート状の高透磁率部材を、前記第１のアンテナの前記表面カバー部または前記裏面カバー部との当接面に固着しておくことを特徴とする請求項３７記載の光ディスクケースの製造方法。
【請求項４０】
前記高透磁率部材は、前記ブースタアンテナにおける前記第１のアンテナの形成領域より広く形成されたことを特徴とする請求項３９記載の光ディスクケースの製造方法。
【請求項４１】
前記表面カバー部と前記裏面カバー部とが、閉塞時に１つの側面を構成する側面部の両端においてそれぞれ折り曲げ可能な状態で接続されたケース筐体を射出成型により一体に形成する工程と、
前記表面カバー部、前記裏面カバー部、および前記側面部の外面を覆うように四角形状の透明フィルムを配設する工程と、
前記透明フィルムと前記表面カバー部、前記裏面カバー部、および前記側面部との間に挿入可能なパッケージ表示用のカード部材に、前記ブースタアンテナを取り付ける工程と、
をさらに含み、
前記ブースタアンテナを前記裏面カバー部に取り付ける工程では、前記第１のアンテナが前記裏面カバー部の外面に配置され、前記第２のアンテナが前記側面部の外面に配置されるように、前記ブースタアンテナが取り付けられた前記カード部材を、前記透明フィルムと前記表面カバー部、前記裏面カバー部、および前記側面部との間に挿入することを特徴とする請求項３７記載の光ディスクケースの製造方法。
【請求項４２】
前記カード部材に前記ブースタアンテナを取り付ける工程では、シート状の高透磁率部材を、前記カード部材を前記透明フィルムの内側に挿入したときに前記第１のアンテナより外側であって当該第１のアンテナの形成領域に対応する位置に配置されるように、前記カード部材に対して固着することを特徴とする請求項４１記載の光ディスクケースの製造方法。
【請求項４３】
前記高透磁率部材は、前記ブースタアンテナにおける前記第１のアンテナの形成領域より広く形成されたことを特徴とする請求項４２記載の光ディスクケースの製造方法。
【請求項４４】
第１の光ディスクに形成された中央孔に嵌合して前記第１の光ディスクを保持するための第１の凸状保持部が、その主面の一方の面に設けられ、第２の光ディスクに形成された中央孔に嵌合して前記第２の光ディスクを保持するための第２の凸状保持部が、前記第１の凸状保持部と互いに中心が一致するように、前記一方の面に平行な他方の面に設けられた中央トレイ部材と、前記中央トレイ部材の一端側を中心として、前記中央トレイ部材に対してそれぞれ回転可能な状態で連結された表面カバー部および裏面カバー部とを備えて、前記表面カバー部の主面および前記裏面カバー部の主面が前記中央トレイ部材の主面にそれぞれ対向するように閉塞されたときに、箱形の外形をなすように構成された光ディスクケースの製造方法において、
略平板状に形成されて、第１のアンテナと第２のアンテナとが接続されてそれぞれが送受信する信号を中継する少なくとも１つのブースタアンテナを、前記中央トレイ部材の少なくとも前記一方の面に対して取り付ける工程を含み、
前記工程では、前記第１のアンテナが、その中央部が前記第１の凸状保持部および前記第２の凸状保持部の中心と一致し、かつ、その外形が前記中央トレイ部材の主面と平行な状態となるように配置され、前記第２のアンテナが、前記中央トレイ部材の主面の一端の近傍において、その外形が前記第１のアンテナの外形に対して垂直な状態で配置されるように、前記ブースタアンテナを配設することを特徴とする光ディスクケースの製造方法。
【請求項４５】
前記ブースタアンテナを前記中央トレイ部材に対して取り付ける前に、前記第２のアンテナが前記第１のアンテナに対して垂直になるように前記ブースタアンテナを折り曲げておくことを特徴とする請求項４４記載の光ディスクケースの製造方法。
【請求項４６】
シート状の高透磁率部材をカード部材の一方の面に固着する工程と、
前記表面カバー部と前記裏面カバー部とが閉塞されたときに前記高透磁率部材が前記第１のアンテナと対向するように、前記カード部材を前記表面カバー部の内面または前記裏面カバー部の内面の少なくとも一方に配設する工程と、
をさらに含むことを特徴とする請求項４４記載の光ディスクケースの製造方法。
【請求項４７】
前記高透磁率部材は、前記ブースタアンテナにおける前記第１のアンテナの形成領域より広く形成されたことを特徴とする請求項４６記載の光ディスクケースの製造方法。
【発明の詳細な説明】
【技術分野】
【０００１】
本発明は、複数の光ディスクが収納される光ディスクケース、このケースに搭載されるカード部材、光ディスクケースの製造方法に関し、特に、非接触型ＩＣチップが搭載された光ディスクを収納するのに適した光ディスクケース、カード部材、光ディスクケースの製造方法に関する。
【背景技術】
【０００２】
近年、映像などの大容量データを記録可能な記録媒体として、ＣＤ（Compact Disc）、ＤＶＤ（Digital Versatile Disk）などの光ディスクが広く普及している。また、光ディスクとしては、ＲＯＭ（Read Only Memory）型と呼ばれる再生専用ディスクだけでなく、“Recordable”と呼ばれる追記型ディスクや“ReWritable”と呼ばれる書き換え型ディスクも一般的となっている。
【０００３】
一方、端末側のリーダ／ライタとの間で非接触で情報の受け渡しが可能な非接触型ＩＣ（Integrated Circuit）チップは、端末装置との通信時に物理的接触が不要という要因などによって接続開始から接続終了までの処理時間を短くでき、また、高度な相互認証および暗号処理による高いセキュリティを持つといった特徴を有している。このため、電子マネーや交通乗車券、入館証などの用途で普及が進んでいる。
【０００４】
そして、このような優れた特徴を持つ非接触型ＩＣチップを、光ディスクの基板上に搭載することが従来から考えられている。例えば、２枚のディスク基板のそれぞれに凹部を形成したうえで、ディスク基板を貼り合わせたときにそれぞれの凹部の間に形成される間隙に、ＩＣチップやその送受信用のアンテナを一体のモジュールとして配置した光ディスクが考えられている（例えば、特許文献１参照）。
【０００５】
ところで、非接触型ＩＣチップとリーダ／ライタとの間では、それぞれが備えているアンテナによって電磁波を用いて通信を行っている。しかし、それぞれのアンテナの形状によっては、電磁波の特性上、送受信の際に指向性が生じる場合があるため、各アンテナが発生する電磁波の強度や互いのアンテナの位置関係によっては、通信できない事態が生じる。
【０００６】
特に、通信周波数１３．５６ＭＨｚの場合に代表される電磁誘導方式の非接触型ＩＣカードやＲＦＩＤ（Radio Frequency Identification）では、非接触型ＩＣチップのアンテナコイルとリーダ／ライタ側のアンテナコイルとが対向しているときに、通信状態が良好になるようにされており、各アンテナコイルの方向が直交しているとき（すなわち、アンテナコイルの法線が直交しているとき）には通信できない場合がある。
【０００７】
これに対して、アンテナ同士の位置関係の問題から良好な通信ができない場合に、ブースタアンテナと呼ばれる中継用のアンテナを用いて、通信状態を改善する技術が知られている。例えば、記録媒体の収納ケースにブースタアンテナを設けることで、記録媒体に搭載された非接触型ＩＣチップと、収納棚に設けられたリーダ／ライタとの間で通信できるようにした情報記憶媒体管理システムが考えられていた（例えば、特許文献２参照）。
【特許文献１】特開平９−２４５３８１号公報（段落番号〔００１１〕〜〔００１４〕、図１）
【特許文献２】特開２００５−３３９１７０号公報（段落番号〔００２０〕〜〔００２５〕、図１）
【発明の開示】
【発明が解決しようとする課題】
【０００８】
ところで、光ディスクは通常、専用の収納ケースに入れられて保管されることが多く、収納ケースに入れられた光ディスクが多数、収納棚に載置されることも多い。従って、上述したような非接触型ＩＣチップが搭載された光ディスクについても、同様に収納ケースに入れられた状態で収納棚に載置される事態が当然考えられる。しかし、このような状態では、収納棚の光ディスクは互いに記録面が近接して対向した状態となるので、記録面に平行にリーダ／ライタのアンテナ面を近づけることはできず、非接触型ＩＣチップと通信することは非常に困難になる。
【０００９】
例えば、収納ケースにおいて光ディスクの記録面と平行をなす面（以下、ケース主面と呼ぶ）が互いに近接して並べられた場合に、通信を良好に行うためにリーダ／ライタのアンテナ面と光ディスク上のアンテナとを対向状態に近づけるためには、隣接する収納ケース同士の間隔を空けたり、個々の収納ケースを引き出すといった動作を行わなければならない。このため、収納ケース内の複数の光ディスクの非接触型ＩＣチップに対して順次連続して通信しようとすると、上記のような煩雑な動作が必要となり、時間がかかってしまう。
【００１０】
このように、光ディスクが収納ケースに入れられて収納棚に載置された状態でも、ケース主面に対して垂直なケース側面からリーダ／ライタをかざすことで、光ディスク上の非接触型ＩＣチップとの間で容易に通信できるようにすることが望まれている。特に、光ディスクの収納ケースとしては、ジュエルケース、トールケースなどに代表される、いくつかの特定の構造を持つものが広く普及しており、これらの収納ケースの構造を大きく変えることなく、上記の状態で非接触型ＩＣチップと容易に通信できることが要望されている。
【００１１】
また、上記の特許文献２では、光ディスクが収納ケースに入れられて収納棚に載置された状態で、光ディスクの非接触型ＩＣチップと通信するための方法として、非接触型ＩＣチップのための読取コイル、またはその読取コイルが複数配置されたアンテナボードを、仕切り板や棚板と一体となるように配置した収納棚を用い、その所定の位置に収納ケースを載置したときにケース内の非接触型ＩＣチップと通信可能になるよう、収納ケースにブースタを設けている。しかし、この構成では読取装置と一体となった専用の収納棚が必要であるので、すでにユーザが使用している収納棚では対応できず、また、持ち運び可能な汎用の読取装置を使用することもできない。
【００１２】
本発明はこのような課題に鑑みてなされたものであり、光ディスクの記録面と垂直なケース側面からリーダ／ライタを近づけた場合でも、光ディスク上の非接触型ＩＣチップと容易に通信でき、かつ、既存のものと基本構造に大きな変化のない光ディスクケース、この光ディスクケース用のカード部材、光ディスクケースの製造方法を提供することを目的とする。
【課題を解決するための手段】
【００１３】
本発明では上記課題を解決するために、複数の光ディスクが収納される光ディスクケースにおいて、表面カバー部と裏面カバー部とがそれぞれの主面の端部側を中心として回転可能な状態で接続されて、前記表面カバー部および前記裏面カバー部の各主面が対向するように閉塞されたときに箱形の外形をなすように構成され、前記表面カバー部の主面の内側に、第１の光ディスクに形成された中央孔に嵌合して前記第１の光ディスクを保持するための第１の凸状保持部が設けられ、前記裏面カバー部の主面の内側に、第２の光ディスクに形成された中央孔に嵌合して前記第２の光ディスクを保持するための第２の凸状保持部が、前記表面カバー部および前記裏面カバー部の閉塞時に前記第１の凸状保持部と互いに中心が一致するように設けられ、さらに、第１のアンテナと第２のアンテナとが接続されてそれぞれが送受信する信号を中継する少なくとも１つのブースタアンテナを備え、前記第１のアンテナが、その中央部が前記第１の凸状保持部および前記第２の凸状保持部の各中心と一致し、かつ、その外形が前記表面カバー部の主面または前記裏面カバー部の主面と平行な状態となるように配置され、前記第２のアンテナが、前記表面カバー部および前記裏面カバー部を閉塞したときの１つの側面に対して、その外形が平行な状態で当接または近接するように、前記ブースタアンテナが配設されたことを特徴とする光ディスクケースが提供される。
【００１４】
このような光ディスクケースでは、表面カバー部の主面の内側において、第１の光ディスクが第１の凸状保持部によって保持され、裏面カバー部の主面の内側において、第２の光ディスクが第２の凸状保持部によって保持される。また、ブースタアンテナの第１のアンテナは、その中央部が第１の凸状保持部および第２の凸状保持部の各中心と一致し、かつ、その外形が表面カバー部の主面または裏面カバー部の主面と平行な状態となるように配置される。従って、非接触型のＩＣチップと、ディスク回転中心の周囲に形成された非接触通信用のアンテナとがそれぞれ設けられた第１の光ディスクおよび第２の光ディスクが、第１の凸状保持部および第２の凸状保持部にそれぞれ保持されて、光ディスクケースが閉じられたときに、各光ディスク上のアンテナと第１のアンテナとの間で信号を送受信することが可能となる。
【００１５】
一方、ブースタアンテナの第２のアンテナは、表面カバー部および裏面カバー部を閉塞したときの１つの側面に対して、その外形が平行な状態で当接または近接するように配置される。従って、光ディスクケースを閉じた状態で、第２のアンテナの位置に対応する側面にＩＣチップのリーダ／ライタが近接されたとき、このリーダ／ライタが備えるアンテナと第２のアンテナとの間で信号を送受信することが可能となり、この状態でリーダ／ライタと各光ディスク上のＩＣチップとが通信できるようになる。
【００１６】
また、本発明では上記課題を解決するために、複数の光ディスクが収納される光ディスクケースにおいて、第１の光ディスクに形成された中央孔に嵌合して前記第１の光ディスクを保持するための第１の凸状保持部が、その主面の一方の面に設けられ、第２の光ディスクに形成された中央孔に嵌合して前記第２の光ディスクを保持するための第２の凸状保持部が、前記第１の凸状保持部と互いに中心が一致するように、前記一方の面に平行な他方の面に設けられた中央トレイ部材と、前記中央トレイ部材の一端側を中心として、前記中央トレイ部材に対してそれぞれ回転可能な状態で連結された表面カバー部および裏面カバー部とを有して、前記表面カバー部の主面および前記裏面カバー部の主面が前記中央トレイ部材の主面にそれぞれ対向するように閉塞されたときに、箱形の外形をなすように構成され、さらに、第１のアンテナと第２のアンテナとが接続されてそれぞれが送受信する信号を中継する少なくとも１つのブースタアンテナを備え、前記第１のアンテナが、その中央部が前記第１の凸状保持部および前記第２の凸状保持部の各中心と一致し、かつ、その外形が前記中央トレイ部材の主面と平行な状態となるように配置され、前記第２のアンテナが、前記中央トレイ部材の主面の一端の近傍において、その外形が前記第１のアンテナの外形に対して垂直な状態で配置されるように、前記ブースタアンテナが前記中央トレイ部材の少なくとも前記一方の面に配設されたことを特徴とする光ディスクケースが提供される。
【００１７】
このような光ディスクケースでは、中央トレイ部材の主面の一方の面において、第１の光ディスクが第１の凸状保持部によって保持され、他方の面において、第２の光ディスクが第２の凸状保持部によって保持される。また、ブースタアンテナの第１のアンテナは、その中央部が第１の凸状保持部および第２の凸状保持部の各中心と一致し、かつ、その外形が中央トレイ部材の主面と平行な状態となるように配置される。従って、非接触型のＩＣチップと、ディスク回転中心の周囲に形成された非接触通信用のアンテナとがそれぞれ設けられた第１の光ディスクおよび第２の光ディスクが、第１の凸状保持部および第２の凸状保持部にそれぞれ保持されて、光ディスクケースが閉じられたときに、各光ディスク上のアンテナと第１のアンテナとの間で信号を送受信することが可能となる。
【００１８】
一方、ブースタアンテナの第２のアンテナは、中央トレイ部材の主面の一端の近傍において、その外形が第１のアンテナの外形に対して垂直な状態となるように配置される。従って、光ディスクケースを閉じた状態で、第２のアンテナの位置に対応するケース側面にＩＣチップのリーダ／ライタが近接されたとき、このリーダ／ライタが備えるアンテナと第２のアンテナとの間で信号を送受信することが可能となり、この状態でリーダ／ライタと各光ディスク上のＩＣチップとが通信できるようになる。
【００１９】
さらに、本発明では上記課題を解決するために、表面カバー部と裏面カバー部とが、閉塞時に１つの側面を構成する側面部の両端においてそれぞれ折り曲げ可能な状態で接続されて、前記表面カバー部および前記裏面カバー部の各主面が対向するように閉塞されたときに箱形の外形をなし、前記表面カバー部の内面と前記裏面カバー部の内面にそれぞれ光ディスクが保持されるように構成された光ディスクケースに対して、前記表面カバー部、前記裏面カバー部、および前記側面部の外面を覆うように搭載可能なカード部材において、第１のアンテナと第２のアンテナとが接続されてそれぞれが送受信する信号を中継する少なくとも１つのブースタアンテナを有し、前記第１のアンテナが前記表面カバー部または前記裏面カバー部に対応する領域に配置され、前記第２のアンテナが前記側面部に対応する領域に配置されるように、前記ブースタアンテナが配設され、かつ、前記ブースタアンテナは、前記表面カバー部または前記裏面カバー部と前記側面部との境界に対応する部分で折り曲げ可能であることを特徴とするカード部材が提供される。
【００２０】
このようなカード部材において、ブースタアンテナの第１のアンテナは、このカード部材を光ディスクケースの表面カバー部、裏面カバー部、および側面部の外面を覆うように配設したときに、光ディスクケースの表面カバー部または裏面カバー部に対応する領域に配置される。従って、光ディスクケースの内部に、非接触型のＩＣチップと、ディスク回転中心の周囲に形成された非接触通信用のアンテナとがそれぞれ設けられた複数の光ディスクが保持されて、光ディスクケースが閉じられたときに、各光ディスク上のアンテナと第１のアンテナとの間で信号を送受信することが可能となる。
【００２１】
一方、ブースタアンテナの第２のアンテナは、このカード部材を光ディスクケースの表面カバー部、裏面カバー部、および側面部の外面を覆うように配設したときに、光ディスクケースの側面部に対応する領域に配置される。従って、光ディスクケースを閉じた状態で、光ディスクケースの側面部にＩＣチップのリーダ／ライタが近接されたとき、このリーダ／ライタが備えるアンテナと第２のアンテナとの間で信号を送受信することが可能となり、この状態でリーダ／ライタと各光ディスク上のＩＣチップとが通信できるようになる。
【発明の効果】
【００２２】
本発明の光ディスクケースによれば、非接触型のＩＣチップと、ディスク回転中心の周囲に形成された非接触通信用のアンテナとが設けられた第１の光ディスクおよび第２の光ディスクが、第１の凸状保持部および第２の凸状保持部にそれぞれ保持され、かつ、この光ディスクケースを閉じた状態で、第２のアンテナの位置に対応するケース側面にＩＣチップのリーダ／ライタを近接させることで、リーダ／ライタと各光ディスク上のＩＣチップとの間で確実に通信できるようになる。また、すでに広く普及している光ディスクケースの基本構成を変えることなく、その光ディスクケースにブースタアンテナを配設して、上記効果を得ることが可能になる。
【００２３】
また、本発明のカード部材によれば、このカード部材が光ディスクケースの表面カバー部、裏面カバー部、および側面部の外面を覆うように配設され、かつ、その光ディスクケースの内部に、非接触型のＩＣチップと、ディスク回転中心の周囲に形成された非接触通信用のアンテナとがそれぞれ設けられた複数の光ディスクが保持されて、その光ディスクケースが閉じられた状態において、光ディスクケースの側面部にＩＣチップのリーダ／ライタを近接させることで、リーダ／ライタと各光ディスク上のＩＣチップとの間で確実に通信できるようになる。また、すでに広く普及している光ディスクケースの構成を何ら変更することなく、その光ディスクケースの外面を覆うようにカード部材を配設するだけで、上記効果を得ることが可能になる。
【発明を実施するための最良の形態】
【００２４】
以下、本発明の実施の形態を図面を参照して詳細に説明する。初めに、各実施の形態で用いられる非接触型ＩＣチップ付きの光ディスクの基本的な構造と、この光ディスク上のＩＣチップとの間の通信方法について説明する。
【００２５】
図１は、非接触型ＩＣチップが搭載された光ディスクの構成例を示す平面図である。
図１に示す光ディスク１は、ＣＤやＤＶＤ、ブルーレイディスク（Blu-ray Disc，ソニー株式会社の登録商標）、ＨＤ  ＤＶＤ（登録商標）などの一般的な光ディスク媒体に共通する、以下のような基本的構造を有している。すなわち、この光ディスク１には、中央部に中心孔２が設けられており、この光ディスク１がディスクドライブに挿入されたときに、この中心孔２を中心に回転され、信号記録面にレーザ光が照射されて、その反射光の光量に応じて信号が読み取られる。
【００２６】
光ディスク１の中心孔２から所定距離分だけ外側の領域は、Ａｇ（銀）あるいはＡｌ（アルミニウム）などの導電性材料からなる反射膜が成膜された信号記録領域３となっている。なお、書き込み可能な光ディスクの場合には、この信号記録領域３には反射膜の他、記録膜や誘電体膜などがさらに成膜される。
【００２７】
信号記録領域３と中心孔２との間は、ディスクドライブ内でこの光ディスク１をチャッキングするための領域であり、チャッキング領域４などと呼ばれる。そして、このチャッキング領域４には、非接触型のＩＣチップ５と、このＩＣチップ５が外部のリーダ／ライタとの間で非接触で通信するためのアンテナコイル６とが設けられている。図１の例では、アンテナコイル６を３ターンのスパイラル状のものとしている。このような形状のアンテナコイル６は、例えば、通信周波数として１３．５６ＭＨｚに代表される短波帯を用いた場合に好適である。
【００２８】
なお、ＩＣチップ５の非接触通信のためのアンテナは、光ディスク１の回転時における重量バランスを保つために、中心孔２の周囲領域に、回転軸を中心としたスパイラル状（あるいはループ状）に設けられることが望ましい。また、このようなアンテナは、図１のようなチャッキング領域４に限らず、例えば、反射膜が成膜された領域の裏面や、その領域よりさらに外側のディスク縁部のディスク基板に設けられてもよい。ただし、チャッキング領域４およびその近傍にアンテナを配置した場合には、光ディスク１に対する加工領域を小さくできるというメリットがある。また、反射膜の成膜領域を避けてアンテナを配置することで、ディスク両面に信号を記録できることや、反射膜による電磁効果を軽減できることなどのメリットも生まれる。
【００２９】
図２は、非接触で通信する際のＩＣチップ側およびリーダ／ライタ側のアンテナ配置について説明するための図である。
光ディスク１上のＩＣチップ５と良好な通信を行う場合、リーダ／ライタ側のアンテナコイル１１は、図２（Ａ）に示すようにＩＣチップ５側のアンテナコイル６と近接して対向し、かつ、互いに同軸上にあることが望ましい。しかし、ＩＣチップ５側のアンテナコイル６とリーダ／ライタ側のアンテナコイル１１との位置関係が上記の状態からずれるに従って、これらの間の通信状態は悪化する。そして、図２（Ｂ）に示すように、リーダ／ライタ側のアンテナコイル１１が光ディスク１の外縁のさらに外側にあり、かつ、このアンテナコイル１１とＩＣチップ５側のアンテナコイル６のそれぞれの軸が直交するような状態のときには、ほぼ通信が不可能であることが多い。
【００３０】
このように、各アンテナの位置関係によって良好な通信が不可能の場合でも、各アンテナの間の通信を仲介するブースタアンテナを用いることで、良好な通信が可能になる。図２（Ｂ）に示すブースタアンテナは、ＩＣチップ５側のアンテナコイル６と対向するアンテナコイル２１と、リーダ／ライタ側のアンテナコイル１１と対向するアンテナコイル２２とが、同調回路２３を介して互いに接続されて構成される。このようなブースタアンテナを用いることで、ＩＣチップ５側のアンテナコイル６とリーダ／ライタ側のアンテナコイル１１との間の通信状態を改善できる。
【００３１】
後述する各実施の形態では、ＩＣチップ５側のアンテナコイル６とリーダ／ライタ側のアンテナコイル１１とが図２（Ｂ）のような位置関係となるようなブースタアンテナを、光ディスク１を収納する光ディスクケースに設ける。これにより、光ディスク１が光ディスクケースに収納された状態で、ケース内の光ディスク１の法線方向からリーダ／ライタを近づけた場合にも、光ディスク１上のＩＣチップ５と良好に通信できるようにする。
【００３２】
図３は、ブースタアンテナを介したＩＣチップとリーダ／ライタとの通信に必要な回路の構成を概略的に示す図である。
この図３では、後に説明する実施の形態の代表例として、２枚の光ディスク１ａおよび１ｂを収納可能な光ディスクケース１００に対して、２つのブースタアンテナを設けた場合の基本的な回路構成を示している。また、各ブースタアンテナは、後述するように、２つのアンテナコイルとそれらの間の同調回路２３とが１つの基板上に形成されたブースタアンテナユニットとして設けられる。すなわち、図３のブースタアンテナユニット２０ａは、一方の光ディスク１ａ上のＩＣチップ５ａと、リーダ／ライタ１０との間の通信のために設けられ、ブースタアンテナユニット２０ｂは、他方の光ディスク１ｂ上のＩＣチップ５ｂと、リーダ／ライタ１０との間の通信のために設けられている。
【００３３】
ここで、図３に示す回路構成について説明する。まず、光ディスク１ａおよび１ｂに設けられるＩＣチップ５ａおよび５ｂは、それぞれ、リーダ／ライタ１０との間で送受信する信号の変復調回路や制御回路、不揮発性記憶媒体などから構成される。ここでは一例として、ＩＣチップ５ａおよび５ｂはリーダ／ライタ１０との間で電磁波を使用して通信するとともに、このＩＣチップ５ａおよび５ｂはバッテリを持たず、リーダ／ライタ１０側から供給される電磁波から電磁誘導によって動作電力を得るものとする。
【００３４】
光ディスク１ａにおいて、リーダ／ライタ１０側と電磁波を送受信するためのアンテナコイル６ａは、同調回路７ａを介してＩＣチップ５ａと接続される。同調回路７ａは例えばコイル、コンデンサ、抵抗などからなり、これらの回路部品のパラメータは、アンテナコイル６ａおよび同調回路７ａを含む回路が通信周波数に共振する共振回路を形成するように選択される。なお、光ディスク１ｂには、ＩＣチップ５ｂ、アンテナコイル６ｂ、および同調回路７ｂが設けられ、これらはそれぞれ、光ディスク１ａにおけるＩＣチップ５ａ、アンテナコイル６ａ、および同調回路７ａと同様の機能を備えている。
【００３５】
一方、リーダ／ライタ１０の主回路１２は、例えば、ＩＣチップ５ａおよび５ｂとの間で送受信する信号や電源供給用電磁波の変復調回路などから構成される。この主回路１２は、ＩＣチップ５ａおよび５ｂ側と電磁波を送受信するためのアンテナコイル１１と、同調回路１３を介して接続される。同調回路１３の機能は、ＩＣチップ５ａおよび５ｂ側の同調回路７ａおよび７ｂと同様である。
【００３６】
ブースタアンテナユニット２０ａは、上述したように、ＩＣチップ５ａ側およびリーダ／ライタ１０側にそれぞれ対応するアンテナコイル２１ａおよび２２ａと、それらを接続する同調回路２３ａとから構成される。また、ブースタアンテナユニット２０ｂは、同様に、ＩＣチップ５ｂ側およびリーダ／ライタ１０側にそれぞれ対応するアンテナコイル２１ｂおよび２２ｂと、それらを接続する同調回路２３ｂとから構成される。同調回路２３ａおよび２３ｂの機能は、同調回路７ａ，７ｂ、および１３と同様であって、ＩＣチップ５とリーダ／ライタ１０との間で送受信する信号の通信周波数に対してインピーダンスが整合するように調整するものであり、例えばコイル、コンデンサ、抵抗などから構成される。
【００３７】
なお、ブースタアンテナユニット２０ａにおいて、各アンテナコイル２１ａおよび２２ａのインピーダンスが通信周波数と整合している場合には特に同調回路２３ａは不要であり、この場合にはアンテナコイル２１ａおよび２２ａを直接接続することができる。この点は、ブースタアンテナユニット２０ｂ内の同調回路２３ｂについても同様である。さらに、ＩＣチップ５ａおよび５ｂ側の同調回路７ａおよび７ｂ、リーダ／ライタ１０側の同調回路１３も、同様に必要に応じて設けられればよい。
【００３８】
図４は、ブースタアンテナユニットの基本的な構成を示す図である。
上記のブースタアンテナユニット２０ａおよび２０ｂや、後述する各実施の形態で用いられるブースタアンテナユニットの基本的な構成は同じであるので、ここではこれらをまとめてブースタアンテナユニット２０として示し、その構成について説明する。このブースタアンテナユニット２０は、ＩＣチップ５との通信用のアンテナコイル２１と、リーダ／ライタ１０との通信用のアンテナコイル２２と、各アンテナコイル２１および２２を接続する接続配線２４とからなるブースタアンテナが、フレキシブル基板２５の上に形成された構成をなしている。各アンテナコイル２１および２２、接続配線２４は、例えば、アルミニウム（Ａｌ）などの金属材料をフレキシブル基板２５上に印刷などによって薄板状（または薄膜状）に形成したものである。
【００３９】
また、ＩＣチップ５側のアンテナコイル２１の中心領域には、光ディスクケースに設けられた、光ディスクの保持部（後述する）を貫通させるための中心孔２６が、必要に応じて形成される。さらに、フレキシブル基板２５におけるアンテナコイル２１および２２の間の領域には、アンテナコイル２２の中心軸を、アンテナコイル２１の中心軸に対して垂直にするための折り曲げ部２７が形成されている。
【００４０】
なお、アンテナコイル２１および２２のアンテナ径や巻き数などは、それぞれＩＣチップ５側のアンテナコイル６およびリーダ／ライタ１０側のアンテナコイル１１のアンテナ径や巻き数などに応じて、良好な通信ができるように適切に決められればよい。また、この例では同調回路（図３の同調回路２３ａおよび２３ｂ）が形成されていない場合を示したが、この同調回路が必要な場合には、図４において、例えば、フレキシブル基板２５における接続配線２４が形成された領域に同調回路が設けられればよい。
【００４１】
前述のように、同調回路２３ａおよび２３ｂは、例えばコイル、コンデンサ、抵抗などから構成される。この同調回路の具体的な構成例としては、例えば、コンデンサ（チップコンデンサ）の一対の電極を一対の接続配線２４にそれぞれ接続することで、アンテナコイル２１および２２に対して並列にコンデンサを接続させる。このとき、コンデンサの容量を調節することでインピーダンスを変化させることができ、結果として通信周波数に対するインピーダンス整合を調整することができる。
【００４２】
次に、実施の形態に係る光ディスクケースについて具体的に説明する。
［実施の形態１−１］
図５および図６はそれぞれ、実施の形態１−１に係る光ディスクケースの構成を示す正面図および背面図である。また、図７は、実施の形態１−１に係る光ディスクケースの外形を示す図である。
【００４３】
本実施の形態の光ディスクケース１００ａは、基本的に、表面カバー部１１１と裏面カバー部１１２とを備えた２つ折りの箱形形状を有している。すなわち、光ディスクケース１００ａを閉じたときの外形は、図７に示すように、ディスク面に平行な面（ケース主面）に対して垂直な方向が薄くされた直方体をなす。なお、図５および図６は、この光ディスクケース１００ａを開いた状態を示している。
【００４４】
表面カバー部１１１と裏面カバー部１１２とはケース側面部１１３を介して折り曲げ可能に接続されており、これらは例えばポリプロピレンなどの樹脂材料によって一体に形成されている。すなわち、表面カバー部１１１および裏面カバー部１１２は、これらが閉じられたとき、それぞれケース側面部１１３との境界部である折り曲げ部１１４および１１５において９０度に折り曲げられ、このとき、表面カバー部１１１と裏面カバー部１１２とが対向する状態となって内部が密閉される。また、このときケース側面部１１３は、表面カバー部１１１および裏面カバー部１１２に対して垂直な状態となって、光ディスクケース１００ａの１つの側面を構成するようになる。
【００４５】
表面カバー部１１１および裏面カバー部１１２のそれぞれの内面には、光ディスク１ａおよび１ｂがそれぞれ載置されるディスク載置面１２１および１３１と、光ディスク１ａおよび１ｂをそれぞれ保持するための凸状のディスク保持部１２２および１３２とが一体に形成されている。ディスク保持部１２２および１３２の周囲は弾性を有し、これらのディスク保持部１２２および１３２に光ディスク１ａおよび１ｂのそれぞれの中心孔２が嵌合されることで、光ディスク１ａおよび１ｂが保持される。
【００４６】
また、表面カバー部１１１の内面は、例えば光ディスク１ａおよび１ｂに収録されたコンテンツを説明するための冊子などを収容するための冊子収容面となっており、この面には冊子を保持し、かつ係止するための凸状の係止部１４１および１４２が形成されている。
【００４７】
さらに、表面カバー部１１１、裏面カバー部１１２、およびケース側面部１１３の外面（すなわち、ディスク載置面１２１および１３１の反対面）は、１枚の透明シート１５１によって覆われている。この透明シート１５１は、その４辺のうち３辺において、表面カバー部１１１、裏面カバー部１１２、およびケース側面部１１３の端部と固着されているが、残る一辺は固着されずに開放されている。なお、ここでは例として、図６（および図５）における上側を開放端部１５２としている。そして、この開放端部１５２から透明シート１５１の内部に、例えばジャケット写真などが印刷されたパッケージ表示用のカード部材（図示せず）を挿入することが可能になっている。
【００４８】
以上のような基本構成を有する光ディスクケース１００ａは、主にＤＶＤ用の収納ケースとして最も一般的に流通されているものであり、“トールケース”などと呼ばれる。そして、本実施の形態では、このような既存の光ディスクケース１００ａに対して、ブースタアンテナユニット２０ａおよび２０ｂが搭載される。
【００４９】
ブースタアンテナユニット２０ａは、表面カバー部１１１の外面（すなわち、ディスク載置面１２１の裏面）に固着されている。ブースタアンテナユニット２０ａは、アンテナコイル２１ａの中心が、ディスク保持部１２２の中心に一致するように配設される。これにより、ディスク保持部１２２に光ディスク１ａが嵌合されたときに、ディスク側のアンテナコイル６ａとケース側のアンテナコイル２１ａとの間で確実に電磁結合し、信号を送受信できるようになる。
【００５０】
また、リーダ／ライタ１０との通信用のアンテナコイル２２ａの形成領域は、ケース側面部１１３の外面に固着される。そして、光ディスクケース１００ａを閉じたときには、折り曲げ部１１４が折り曲がるのに伴って、ブースタアンテナユニット２０ａの折り曲げ部２７ａも９０度折り曲がるようになっている。
【００５１】
一方、ブースタアンテナユニット２０ｂは、裏面カバー部１１２の外面（すなわち、ディスク載置面１３１の裏面）に対して、アンテナコイル２１ｂの中心がディスク保持部１３２の中心に一致するように配設されて固着されている。これにより、ディスク保持部１３２に光ディスク１ｂが嵌合されたときに、ディスク側のアンテナコイル６ｂとケース側のアンテナコイル２１ｂとの間で確実に電磁結合し、信号を送受信できるようになる。
【００５２】
また、リーダ／ライタ１０との通信用のアンテナコイル２２ｂはケース側面部１１３の外面に配設されるが、この例では、アンテナコイル２２ｂがブースタアンテナユニット２０ａのアンテナコイル２２ａの上面に重なるように固着されている。そして、光ディスクケース１００ａを閉じたときには、折り曲げ部１１５が折り曲がるのに伴って、ブースタアンテナユニット２０ｂの折り曲げ部２７ｂも９０度折り曲がる。
【００５３】
このような光ディスクケース１００ａは、例えば、以下のような工程により製造される。まず、上述したように、フレキシブル基板２５ａ上に、アンテナコイル２１ａおよび２２ａと接続配線２４ａとが印刷などにより形成されたブースタアンテナユニット２０ａが、図４に示したように平坦な状態で作製される。また、ブースタアンテナユニット２０ｂも同様の工程で作製される。一方、表面カバー部１１１、裏面カバー部１１２、およびケース側面部１１３は、射出成型などにより一体に形成される。
【００５４】
次に、表面カバー部１１１およびケース側面部１１３の外面に対して、ブースタアンテナユニット２０ａが、アンテナコイル２１ａの中心をディスク保持部１２２の中心に位置合わせした状態で固着される。次に、裏面カバー部１１２の外面に対して、ブースタアンテナユニット２０ｂが、アンテナコイル２１ｂの中心をディスク保持部１３２の中心に位置合わせした状態で固着される。このとき、アンテナコイル２２ｂの形成領域は、ブースタアンテナユニット２０ａのアンテナコイル２２ａの形成領域の上面に固着される。
【００５５】
ここで、ブースタアンテナユニット２０ａおよび２０ｂを、透明シート１５１の内部に配設することで、透明シート１５１の内部にさらにパッケージ表示用のカード部材を挿入できるようになる。この場合、ブースタアンテナユニット２０ａおよび２０ｂを、表面カバー部１１１、裏面カバー部１１２、およびケース側面部１１３の外面に固着した後、透明シート１５１を取り付けてもよいし、その逆の工程としてもよい。
【００５６】
また、ブースタアンテナユニット２０ａおよび２０ｂのフレキシブル基板２５ａおよび２５ｂを、表面カバー部１１１、裏面カバー部１１２、およびケース側面部１１３に対して接着する際には、例えば、紫外線硬化樹脂、ホットメルト樹脂、エポキシ樹脂系、シアノアクリレート系、合成ゴム系（好ましくはスチレン−ブタジエンゴム系）などの接着剤あるいは粘着材などが用いられる。このとき、接着面にあらかじめプライマを塗布して、より確実に接着されるように接着面を改質しておいてもよい。
【００５７】
なお、ブースタアンテナは、本実施の形態のように基板と一体化した構成に限らず、例えば、細い金属線のみから構成されてもよい。この場合、アンテナコイル２１ａ，２１ｂ，２２ａ，および２２ｂは、例えば、それぞれ巻き線機などにより巻き線された空芯コイルとして形成されればよい。
【００５８】
以上説明した実施の形態１−１の光ディスクケース１００ａでは、ブースタアンテナユニット２０ａおよび２０ｂのアンテナコイル２２ａおよび２２ｂが、ともにケース側面部１１３に沿って配置されたことにより、図７に示すように、リーダ／ライタ１０のアンテナコイル１１をケース側面部１１３に対向させた状態でリーダ／ライタ１０を近接させると、リーダ／ライタ１０と光ディスク１ａおよび１ｂ上のＩＣチップ５ａおよび５ｂとの間で通信できるようになる。
【００５９】
特に、このような光ディスクケース１００ａを多数、収納棚に収容した場合には、光ディスクケース１００ａ同士はディスク面に平行な面（ケース主面）で互いに接触（または近接）するので、このケース主面にリーダ／ライタ１０をかざしてＩＣチップ５ａおよび５ｂと通信させることは不可能になる。しかし、収納棚に収容した状態でも、光ディスクケース１００ａの少なくとも１つの側面（ケース側面部１１３）は外部に露出しているので、この側面に、ブースタアンテナのアンテナコイル２２ａおよび２２ｂを設けておけば、この側面にリーダ／ライタ１０をかざすことでＩＣチップ５ａおよび５ｂとの通信が可能となる。
【００６０】
収納棚に収容した状態で光ディスク１ａおよび１ｂ上のＩＣチップ５ａおよび５ｂと通信できれば、例えば、ＩＣチップ５ａおよび５ｂに楽曲などの情報を記録しておき、この情報をリーダ／ライタ１０で読み出して表示装置に表示することや、指定したキーワードに合致する情報がＩＣチップ５ａおよび５ｂに記録されていたときに、音声や光などで知らせるなど、所望の楽曲やデータが収録された光ディスクの検索を容易にするといった使い方が可能になる。
【００６１】
なお、図７では、非接触型ＩＣチップ専用のリーダ／ライタ１０の例を示したが、このリーダ／ライタ１０の形状や構成はあくまで一例である。リーダ／ライタの他の構成としては、例えば、光ディスクの再生・記録機器などのためのリモートコントローラにリーダ／ライタ機能を設け、そのリモートコントローラの先端部にアンテナコイルを配置しておくことなども考えられる。
【００６２】
そして、本実施の形態の光ディスクケース１００ａでは、既存のトールケース型の光ディスクケースの構造や形状を変えることなく、簡易な工程でブースタアンテナを搭載させ、上記のようにケース側面部１１３の側からの通信を行うことができるようになる。また、ブースタアンテナをブースタアンテナユニット２０ａおよび２０ｂとしてあらかじめ形成しておき、そのようなユニットを樹脂製ケースの外面に固着する工程としたことで、製造工程を効率化できる。
【００６３】
特に、ブースタアンテナユニット２０ａおよび２０ｂを、樹脂製ケースの外面と透明シート１５１との間に配設する構成とした場合には、既存の樹脂製ケース（トールケース）とは別にブースタアンテナユニットを流通させ、このブースタアンテナユニットが別のメーカあるいはユーザによって、トールケースに取り付けられてもよい。ブースタアンテナユニットが単独で販売された場合、既存のトールケースをすでに所有しているユーザは、そのケース全体を交換するのではなく、ブースタアンテナユニットのみを購入してトールケースに貼り付けるだけで、上記の付加機能によるメリットを享受できるようになる。
【００６４】
なお、ブースタアンテナユニット２０ａのアンテナコイル２２ａは、基本的に、表面カバー部１１１の４辺にそれぞれ接続する側面のいずれかに配設されればよい。すなわち、アンテナコイル２２ａが当接された側面にリーダ／ライタ１０をかざすことで、光ディスク１ａ上のＩＣチップ５ａと通信できるようになる。
【００６５】
ただし、上記構成の光ディスクケース１００ａでは、一般的に、ケース側面部１１３の外面において、光ディスク１ａおよび１ｂに記録されたコンテンツのタイトルなどが表示されることが多い。このため、この光ディスクケース１００ａを収納棚に収納した際には、ケース側面部１１３が収納棚の外部に露出する状態となることが多い。また、ケース側面部１１３の側にアンテナコイル２２ａを配設することで、他の側面に配設した場合と比較して、光ディスク１ａおよび１ｂの着脱の際にユーザがアンテナコイル２２ａに接触してこれを破損する事態を防止できる。
【００６６】
このような点から、アンテナコイル２２ａはケース側面部１１３に配設されることが最も好ましく、本明細書に記載したすべての実施の形態では、このケース側面部１１３に対応する側面に、リーダ／ライタ１０との通信用のアンテナコイル２２ａを配設した例を示すこととする。なお、ブースタアンテナユニット２０ｂのアンテナコイル２２ｂについても同様である。
【００６７】
［実施の形態１−２］
図８は、実施の形態１−２に係る光ディスクケースの構成を示す背面図である。なお、この図８では、図６に対応する部位には同じ符号を付して示している。
【００６８】
図８に示す光ディスクケース１００ｂは、実施の形態１−１の光ディスクケース１００ａを変形したものである。すなわち、光ディスクケース１００ｂは、実施の形態１−１と同様に、表面カバー部１１１と裏面カバー部１１２とが、ケース側面部１１３を介して折り曲げ可能に接続された構成を有している。そして、表面カバー部１１１の外面にブースタアンテナユニット２０ａが固着され、裏面カバー部１１２の外面にブースタアンテナユニット２０ｂが固着されている。
【００６９】
ブースタアンテナユニット２０ａおよび２０ｂの、リーダ／ライタ１０側のアンテナコイル２２ａおよび２２ｂは、実施の形態１−１と同様に、ケース側面部１１３の外面に配設されている。ただし、ブースタアンテナユニット２０ａおよび２０ｂでは、アンテナコイル２２ａおよび２２ｂが互いに重ならないように、アンテナコイル２２ａとアンテナコイル２１ａとの中間部、および、アンテナコイル２２ｂとアンテナコイル２１ｂとの中間部が、それぞれ屈曲した形状となっている点が、実施の形態１−１とは異なる。
【００７０】
この光ディスクケース１００ｂが閉じられると、アンテナコイル２２ａおよび２２ｂはケース主面に対して垂直な状態となる。これにより、リーダ／ライタ１０のアンテナコイル１１をケース側面部１１３に対向させた状態でリーダ／ライタ１０を近接させると、リーダ／ライタ１０と、アンテナコイル２２ａおよび２２ｂとの間で電磁結合できるようになる。
【００７１】
ここで、前述した実施の形態１−１では、アンテナコイル２２ａおよび２２ｂが互いに重なって配置されていた。この配置の場合、リーダ／ライタ１０のアンテナコイル１１をケース側面部１１３に対向させて近接させると、アンテナコイル２２ａおよび２２ｂを介して、光ディスク１ａおよび１ｂ上のＩＣチップ５ａおよび５ｂの両方に対して、同時に通信できる可能性がある。このとき、ＩＣチップ５ａおよび５ｂがコリジョン防止機能などの同時通信に対応した機能を備えていないならば、リーダ／ライタ１０はＩＣチップ５ａまたは５ｂのどちらか一方としか通信できない、あるいはそれらの両方と通信できないことがあり得る。
【００７２】
これに対して、本実施の形態では、アンテナコイル２２ａおよび２２ｂが互いに重ならないように配置されている。この配置の場合、リーダ／ライタ１０のアンテナコイル１１をケース側面部１１３に対向させるときに、ケース側面部１１３におけるアンテナコイル２２ａの配置領域、またはアンテナコイル２２ｂの配置領域のいずれかに近接させることで、アンテナコイル１１と、アンテナコイル２２ａまたは２２ｂのいずれか一方との間の電磁結合度が高まる。従って、ＩＣチップ５ａおよび５ｂが同時通信に対応した機能を備えていなくても、リーダ／ライタ１０をかざす位置に応じて、このリーダ／ライタ１０と、所望のＩＣチップ５ａまたは５ｂとの間で選択的に通信できるようになる。
【００７３】
［実施の形態１−３］
図９は、実施の形態１−３に係る光ディスクケースの構成を示す正面図である。なお、この図９では、図５および図６に対応する部位には同じ符号を付して示している。
【００７４】
図９に示す光ディスクケース１００ｃでは、そのケース本体部の構成については上述した実施の形態１−１，１−２と同様である。すなわち、光ディスクケース１００ｃは、表面カバー部１１１と裏面カバー部１１２とが、ケース側面部１１３を介して折り曲げ可能に接続された構成を有している。そして、この光ディスクケース１００ｃでは、表面カバー部１１１の内面側（ディスク載置面１２１側）にブースタアンテナユニット２０ａが固着され、裏面カバー部１１２の内面側（ディスク載置面１３１側）にブースタアンテナユニット２０ｂが固着されている。
【００７５】
ブースタアンテナユニット２０ａは、アンテナコイル２１ａの中心孔２６ａに、表面カバー部１１１のディスク保持部１２２が貫通し、このアンテナコイル２１ａの中心がディスク保持部１２２の中心に一致するように配設される。これにより、ディスク保持部１２２に光ディスク１ａが嵌合されたときに、ディスク側のアンテナコイル６ａとケース側のアンテナコイル２１ａとの間で確実に電磁結合し、信号を送受信できるようになる。また、リーダ／ライタ１０側のアンテナコイル２２ａ（図９では示していない）は、ケース側面部１１３の内面に固着される。
【００７６】
ブースタアンテナユニット２０ｂは、同様に、アンテナコイル２１ｂの中心孔２６ｂに、裏面カバー部１１２のディスク保持部１３２が貫通し、このアンテナコイル２１ｂの中心がディスク保持部１３２の中心に一致するように配設される。これにより、ディスク保持部１３２に光ディスク１ｂが嵌合されたときに、ディスク側のアンテナコイル６ｂとケース側のアンテナコイル２１ｂとの間で確実に電磁結合し、信号を送受信できるようになる。また、リーダ／ライタ１０側のアンテナコイル２２ｂは、ケース側面部１１３の内面において、ブースタアンテナユニット２０ｂの上に固着される。
【００７７】
この光ディスクケース１００ｃが閉じられると、各ブースタアンテナユニット２０ａおよび２０ｂのリーダ／ライタ１０側のアンテナコイルは、ともにケース主面に対して垂直な状態に変化する。これにより、リーダ／ライタ１０のアンテナコイル１１をケース側面部１１３に対向させた状態でリーダ／ライタ１０を近接させると、リーダ／ライタ１０と光ディスク１ａおよび１ｂ上のＩＣチップ５ａおよび５ｂとの間で通信できるようになる。
【００７８】
なお、この図９の構成では、ブースタアンテナユニット２０ｂのアンテナコイル２２ｂの形成領域は、ケース側面部１１３の側に対して必ずしも固着されていなくてもよい。固着されていない場合には、アンテナコイル２２ｂの形成領域を、アンテナコイル２１ｂの形成領域に対して垂直になるようにあらかじめ折り曲げておき、アンテナコイル２１ｂおよび接続配線２４ｂの形成領域のみを、裏面カバー部１１２の内面に固着する。
【００７９】
さらに、アンテナコイル２２ｂと、ブースタアンテナユニット２０ａのリーダ／ライタ１０側のアンテナコイル２２ａのそれぞれの大きさを、開閉時に互いに接触しないように決定しておいた場合には、一方のアンテナコイル２２ｂの形成領域だけでなく、他方のアンテナコイル２２ａの形成領域も、ケース側面部１１３の側に対して固着しなくてもよい。この場合には、アンテナコイル２２ａの形成領域を、アンテナコイル２１ａの形成領域に対して垂直になるようにあらかじめ折り曲げておき、アンテナコイル２１ａおよび接続配線２４ａの形成領域のみを、表面カバー部１１１の内面に固着する。
【００８０】
また、ブースタアンテナユニット２０ａおよび２０ｂのそれぞれにおいて、接続配線２４ａおよび２４ｂが形成された領域は、実際には、表面カバー部１１１および裏面カバー部１１２のそれぞれの内面の凹凸に沿って適宜折り曲げられて、その内面と接触するように形成されればよい。あるいは、表面カバー部１１１および裏面カバー部１１２の内面におけるブースタアンテナユニット２０ａおよび２０ｂの固着領域を、平坦な状態にあらかじめ形成しておいてもよい。
【００８１】
［実施の形態１−４］
図１０は、実施の形態１−４に係る光ディスクケースの構成を示す正面図である。なお、この図１０では、図９に対応する部位には同じ符号を付して示している。
【００８２】
図１０に示す光ディスクケース１００ｄは、実施の形態１−３の光ディスクケース１００ｃの変形例である。すなわち、光ディスクケース１００ｄでは、実施の形態１−３と同様に、表面カバー部１１１の内面にブースタアンテナユニット２０ａが固着され、裏面カバー部１１２の内面にブースタアンテナユニット２０ｂが固着されている。ただし、ブースタアンテナユニット２０ａおよび２０ｂでは、アンテナコイル２２ａおよび２２ｂが互いに重ならないように、アンテナコイル２２ａとアンテナコイル２１ａとの中間部、および、アンテナコイル２２ｂとアンテナコイル２１ｂとの中間部が、それぞれ屈曲した形状となっている点が、実施の形態１−３とは異なる。
【００８３】
この光ディスクケース１００ｄが閉じられると、アンテナコイル２２ａおよび２２ｂはケース主面に対して垂直な状態となる。これにより、リーダ／ライタ１０のアンテナコイル１１をケース側面部１１３に対向させた状態でリーダ／ライタ１０を近接させると、リーダ／ライタ１０と光ディスク１ａおよび１ｂ上のＩＣチップ５ａおよび５ｂとの間で通信できるようになる。
【００８４】
本実施の形態でも、前述した実施の形態１−２の場合と同様に、アンテナコイル２２ａおよび２２ｂが互いに重ならないように配置されている。このため、ＩＣチップ５ａおよび５ｂが同時通信に対応した機能を備えていない場合でも、ケース側面部１１３においてリーダ／ライタ１０を近接させる位置（すなわち、アンテナコイル２２ａあるいは２２ｂのいずれかが配置された領域）に応じて、このリーダ／ライタ１０と、所望のＩＣチップ５ａまたは５ｂとの間で選択的に通信できるようになる。
【００８５】
なお、この図１０の構成では、ケース側面部１１３の内面において、ブースタアンテナユニット２０ａおよび２０ｂが互いに接触しないように配設された場合には、リーダ／ライタ１０側のアンテナコイル２２ａおよび２２ｂの形成領域を、ケース側面部１１３の側に固着しておかなくてもよい。固着しない場合、ブースタアンテナユニット２０ａおよび２０ｂは、アンテナコイル２２ａおよび２２ｂを、それぞれアンテナコイル２１ａおよび２１ｂに対してあらかじめ９０度折り曲げた状態で、表面カバー部１１１および裏面カバー部１１２の内面に固着される。
【００８６】
［実施の形態１−５］
図１１は、実施の形態１−５に係る光ディスクケースの構成を示す背面図である。なお、この図１１では、図６に対応する部位には同じ符号を付して示している。
【００８７】
図１１に示す光ディスクケース１００ｅでは、そのケース本体部の構成については上述した実施の形態１−１，１−２と同様である。すなわち、光ディスクケース１００ｅは、表面カバー部１１１と裏面カバー部１１２とが、ケース側面部１１３を介して折り曲げ可能に接続された構成を有している。
【００８８】
また、表面カバー部１１１、裏面カバー部１１２、およびケース側面部１１３の外面は、透明シート１５１で覆われており、透明シート１５１とケース本体との間に、パッケージ表示用のカード部材１５３が挿入される。この例では、図１１中の上側が透明シート１５１の開放端部１５２とされており、この開放端部１５２からカード部材１５３が挿入可能になっている。そして、本実施の形態では、このカード部材１５３に対して、ブースタアンテナユニット２０ａおよび２０ｂが搭載される。ブースタアンテナユニット２０ａおよび２０ｂは、基本的には、カード部材１５３のケース本体側に固着され、カード部材１５３のパッケージ表示面に影響を与えないようにされている。
【００８９】
図１２は、実施の形態１−５において、ブースタアンテナユニットが搭載されたカード部材の構成を示す図である。
図１２（Ａ）は、カード部材１５３をパッケージ表示面の裏側（ケース本体側）から見たときの図を示している。この図のように、カード部材１５３の領域１５３ａ〜１５３ｃは、ケース挿入時にそれぞれ表面カバー部１１１、裏面カバー部１１２、およびケース側面部１１３に当接される領域となっており、図１２（Ｂ）に示すように、光ディスクケース１００ｅを閉じたときには、各領域１５３ａ〜１５３ｃの境界部が折り曲げられる。
【００９０】
そして、このようなカード部材１５３に対して、ブースタアンテナユニット２０ａおよび２０ｂが固着される。ブースタアンテナユニット２０ａは、領域１５３ａおよび１５３ｃに固着され、リーダ／ライタ１０側のアンテナコイル２２ａ（図１２では示していない）の形成領域が、領域１５３ｃに配設される。また、ブースタアンテナユニット２０ｂは、領域１５３ｂおよび１５３ｃに固着され、このうち、アンテナコイル２２ｂの形成領域は、ブースタアンテナユニット２０ａのアンテナコイル２２ａの上に重なって固着される。
【００９１】
ブースタアンテナユニット２０ａにおいては、アンテナコイル２２ａの形成領域と接続配線２４ａの形成領域との境界が折り曲げ部２７ａとされ、この折り曲げ部２７ａがカード部材１５３の折り曲げに連動して折り曲げ可能となっている。同様に、ブースタアンテナユニット２０ｂにおいても、アンテナコイル２２ｂの形成領域と接続配線２４ｂの形成領域との境界が折り曲げ部２７ｂとされ、この折り曲げ部２７ｂがカード部材１５３の折り曲げに連動して折り曲げ可能となっている。
【００９２】
このようなカード部材１５３が、透明シート１５１とケース本体との間に挿入されると、ブースタアンテナユニット２０ａは、アンテナコイル２１ａの中心がディスク保持部１２２の中心と合うように配置され、ブースタアンテナユニット２０ｂは、アンテナコイル２１ｂの中心がディスク保持部１３２の中心と合うように配置される。
【００９３】
従って、ディスク保持部１２２および１３２にそれぞれ光ディスク１ａおよび１ｂが装着されると、光ディスク１ａ側のアンテナコイル６ａとブースタアンテナユニット２０ａのアンテナコイル２１ａとが電磁結合され、光ディスク１ｂ側のアンテナコイル６ｂとブースタアンテナユニット２０ｂのアンテナコイル２１ｂとが電磁結合されるようになる。
【００９４】
また、アンテナコイル２２ａおよび２２ｂはともにケース側面部１１３の外面に位置するように配置され、これにより、ケース側面部１１３の外側にリーダ／ライタ１０をかざしたときに、リーダ／ライタ１０のアンテナコイル１１とアンテナコイル２２ａおよび２２ｂとが電磁結合されて、リーダ／ライタ１０とＩＣチップ５ａおよび５ｂとの通信が可能になる。
【００９５】
本実施の形態の光ディスクケース１００ｅを製造する場合には、基本的に、表面カバー部１１１、裏面カバー部１１２、およびケース側面部１１３からなるケース本体が射出成型により一体に形成された後に、そのケース本体の外面に透明シート１５１が取り付けられる。透明シート１５１は、その３辺に対応する端部がケース本体の端部に接続（例えば接着）され、残りの一辺に対応する開放端部から、あらかじめブースタアンテナユニット２０ａおよび２０ｂが固着された状態のカード部材１５３が挿入される。
【００９６】
従って、本実施の形態によれば、既存のトールケース型の光ディスクケースに対して何の加工も施すことなく、その光ディスクケースに対してブースタアンテナユニット２０ａおよび２０ｂが搭載されたカード部材１５３を挿入するだけで、ケース側面部１１３からＩＣチップ５ａおよび５ｂと通信できるようになる。また、ブースタアンテナユニット２０ａおよび２０ｂが搭載されたカード部材１５３を、光ディスクケース本体とは別に流通させることもできる。
【００９７】
［実施の形態１−６］
図１３は、実施の形態１−６に係る光ディスクケースの構成を示す背面図である。また、図１４は、実施の形態１−６において、ブースタアンテナユニットが搭載されたカード部材の構成を示す図である。なお、これらの図１３および図１４では、図１１および図１２に対応する部位には同じ符号を付して示している。
【００９８】
本実施の形態の光ディスクケース１００ｆは、実施の形態１−５の光ディスクケース１００ｅの変形例である。すなわち、光ディスクケース１００ｆでは、実施の形態１−５と同様に、透明シート１５１とケース本体との間に挿入されるカード部材１５３に、ブースタアンテナユニット２０ａおよび２０ｂが設けられている。ただし、このブースタアンテナユニット２０ａおよび２０ｂでは、アンテナコイル２２ａおよび２２ｂが互いに重ならないように、アンテナコイル２２ａとアンテナコイル２１ａとの中間部、および、アンテナコイル２２ｂとアンテナコイル２１ｂとの中間部が、それぞれ屈曲した形状となっている点が、実施の形態１−５とは異なる。
【００９９】
本実施の形態では、前述した実施の形態１−２あるいは１−４の場合と同様に、アンテナコイル２２ａおよび２２ｂが互いに重ならないように配置されている。このため、ＩＣチップ５ａおよび５ｂが同時通信に対応した機能を備えていない場合でも、ケース側面部１１３においてリーダ／ライタ１０を近接させる位置（すなわち、アンテナコイル２２ａあるいは２２ｂのいずれかが配置された領域）に応じて、このリーダ／ライタ１０と、所望のＩＣチップ５ａまたは５ｂとの間で選択的に通信できるようになる。
【０１００】
なお、上記の実施の形態１−５および１−６では、ブースタアンテナを構成する金属配線などをフレキシブル基板上に形成したブースタアンテナユニット２０ａおよび２０ｂを、カード部材１５３に固着する構成としたが、フレキシブル基板を用いずに、金属配線をカード部材１５３に対して印刷などによって直接的に形成してもよい。
【０１０１】
また、以上の実施の形態１−１〜１−６では、光ディスク１ａおよび１ｂにそれぞれ対応するブースタアンテナユニット２０ａおよび２０ｂを個別に形成したが、それぞれのブースタアンテナを１つの基板上にユニット化して形成してもよい。これにより、ブースタアンテナユニットをケース本体に取り付ける工程を簡易化できる。
【０１０２】
さらに、上記の実施の形態１−１〜１−６では、２つのブースタアンテナユニット２０ａおよび２０ｂを設けたが、１つのブースタアンテナユニットのみを設けて、各光ディスク１ａおよび１ｂに搭載されたＩＣチップ５ａおよび５ｂとの通信機能を兼用させてもよい。
【０１０３】
また、以上で説明したトールケース型と同じ基本構成を有する光ディスクケースの例として、ケース内面に、光ディスク１ａおよび１ｂの載置面に隣接して、フラッシュメモリなどを備えるメモリカードを脱着可能な脱着部が設けられた光ディスクケースも存在する。このような光ディスクケースに対しても、上記の実施の形態１−１〜１−６に示した手法によってブースタアンテナを搭載させることが可能である。
【０１０４】
［実施の形態２］
図１５は、実施の形態２に係る光ディスクケースの構成を示す斜視図である。なお、図１５では、前述の各図（例えば図１０）に対応する部位には同じ符号を付して示している。
【０１０５】
図１５に示す光ディスクケース２００では、基本的に、そのケース本体の構成が、実施の形態１−１〜１−６で示した構成に対して、２つのカバー部が個別に形成された構成を有している。すなわち、光ディスクケース２００は、表面カバー部２１１と裏面カバー部２１２とから構成されており、表面カバー部２１１と裏面カバー部２１２とは連結部２１３において回転可能に連結されている。そして、表面カバー部２１１の内面に一方の光ディスク１ａが保持され、裏面カバー部２１２の内面に他方の光ディスク１ｂが保持される。なお、表面カバー部２１１および裏面カバー部２１２は、例えばポリスチレン樹脂材料によって形成される。このような構成を持つケースは、ＣＤ用、ＤＶＤ用などの比較的薄型の収納ケースとして、すでに広く流通しているものである。
【０１０６】
そして、本実施の形態では、表面カバー部２１１の内面にブースタアンテナユニット２０ａが固着され、裏面カバー部２１２の内面にブースタアンテナユニット２０ｂが固着されている。表面カバー部２１１の内面の略中央部には、凸状のディスク保持部２１４が表面カバー部２１１と一体に形成されており、ブースタアンテナユニット２０ａに形成された中心孔２６ａにディスク保持部２１４が貫通されて、アンテナコイル２１ａの中心がディスク保持部２１４の中心に一致するように位置合わせされている。これにより、アンテナコイル２１ａと光ディスク１ａ上のアンテナコイル６ａとが、確実に電磁結合される。
【０１０７】
同様に、裏面カバー部２１２の内面の略中央部には、凸状のディスク保持部２１５が裏面カバー部２１２と一体に形成されており、ブースタアンテナユニット２０ｂに形成された中心孔２６ｂにディスク保持部２１５が貫通されて、アンテナコイル２１ｂの中心がディスク保持部２１５の中心に一致するように位置合わせされている。これにより、アンテナコイル２１ｂと光ディスク１ｂ上のアンテナコイル６ｂとが、確実に電磁結合される。
【０１０８】
また、ブースタアンテナユニット２０ａでは、リーダ／ライタ１０側のアンテナコイル２２ａの形成領域が、アンテナコイル２１ａの形成領域に対して垂直になるように、あらかじめ折り曲げられている。この例では、表面カバー部２１１の連結部２１３側の端部にケース側面部２１７が一体成型されており、アンテナコイル２２ａの形成領域は、このケース側面部２１７の内面に固着されるか、あるいは固着されることなく、ケース側面部２１７に近接して配置される。
【０１０９】
一方、ブースタアンテナユニット２０ｂにおけるアンテナコイル２２ｂの形成領域は、アンテナコイル２２ａの形成領域と重ならない位置に配設されている。アンテナコイル２２ｂの形成領域は、アンテナコイル２１ｂの形成領域と垂直になるようにあらかじめ折り曲げられている。そして、表面カバー部２１１と裏面カバー部２１２とが閉じられたとき、アンテナコイル２２ｂの形成領域は、ケース側面部２１７の内面に当接または近接して配置される。
【０１１０】
以上のような構成により、表面カバー部２１１と裏面カバー部２１２とが閉じられたとき、ケース側面部２１７の外側からリーダ／ライタ１０を近接させることで、リーダ／ライタ１０とＩＣチップ５ａおよび５ｂとの間での通信が可能となる。また、既存の収納ケースの構造や形状を変えることなく、この収納ケースに対して、あらかじめ折り曲げ加工したブースタアンテナユニット２０ａおよび２０ｂを固着することで、上記効果が得られるようになる。
【０１１１】
なお、各ブースタアンテナユニット２０ａおよび２０ｂにおいて、接続配線２４ａおよび２４ｂの形成領域では、実際には、表面カバー部２１１および裏面カバー部２１２のそれぞれの内面の凹凸に沿って適宜折り曲げられて、その内面と接触するように形成されればよい。あるいは、表面カバー部２１１および裏面カバー部２１２の内面において基板と固着される領域を、平坦な状態にあらかじめ形成しておいてもよい。
【０１１２】
また、図１５の例では、アンテナコイル２２ａおよび２２ｂを互いに重ならない位置に配設したが、例えば図９の例のように、各コイルが重なり合うようにしてもよい。この場合、アンテナコイル２２ａおよび２２ｂが重なり合うように固着されるとともに、これらがケース側面部２１７の内面に固着される。このとき、アンテナコイル２２ａおよび２２ｂの形成領域と、接続配線２４ａおよび２４ｂの形成領域との境界が折り曲げ部となって、表面カバー部２１１と裏面カバー部２１２の開閉動作に伴って、この折り曲げ部が折り曲げられる。
【０１１３】
ここで、アンテナコイル２２ａおよび２２ｂを互いに重ならないように配置するか、あるいは重なり合うように配置するかという選択は、例えば、ＩＣチップ５ａおよび５ｂが同時通信に対応した機能を備えているか否かといった技術的条件や、ユーザによる通信操作において、アンテナコイル２２ａまたは２２ｂの位置に応じて選択的に通信できる機能を付与するか、あるいは特にコイル位置の区別に関係なく通信できる機能を付与するかといった、ユーザの使いやすさに関する条件などを勘案して選択することができる。
【０１１４】
さらに、この図１５の例では、ブースタアンテナユニット２０ａおよび２０ｂを、それぞれ表面カバー部２１１および裏面カバー部２１２の内面に固着したが、例えば図８の例のように、ブースタアンテナユニット２０ａおよび２０ｂを、それぞれ表面カバー部２１１および裏面カバー部２１２の外面に固着してもよい。
【０１１５】
［実施の形態３−１］
図１６および図１７は、それぞれ、実施の形態３−１に係る光ディスクケースの構成を示す斜視図および断面図である。なお、図１７は、光ディスクを収納し、ケースを閉塞した状態で、図１６中のＡ矢視から見た（図１６のほぼ手前側から見た）ときの、ケース中央部付近の断面を示している。また、図１６および図１７では、前述の各図に対応する部位には同じ符号を付して示している。
【０１１６】
本実施の形態の光ディスクケース３００ａは、表面カバー部３１１と裏面カバー部３１２との間にディスクトレイ３１３が設けられ、このディスクトレイ３１３の両面にそれぞれ光ディスク１ａおよび１ｂが保持される構成を有している。表面カバー部３１１と裏面カバー部３１２は、連結部３１４において回転可能に連結されており、これらの閉塞時には箱形形状をなす。また、ディスクトレイ３１３は、裏面カバー部３１２に対して、連結部３１４において回転可能に連結されており、閉塞時には裏面カバー部３１２の内側にほぼ全体が収容される。ディスクトレイ３１３の両面の略中央部には、光ディスク１ａおよび１ｂの中央孔に嵌合するための、凸状のディスク保持部３１５および３１６が一体に形成されている。
【０１１７】
なお、これらの表面カバー部３１１、裏面カバー部３１２、およびディスクトレイ３１３は、例えばポリスチレン樹脂材料によって形成される。このような構成を持つケースは、主にＣＤ用およびＤＶＤ用の２枚用収納ケースとして、すでに広く流通しているものである。
【０１１８】
本実施の形態では、１つのブースタアンテナのみを搭載し、この１つのブースタアンテナを用いて、各光ディスク１ａおよび１ｂに搭載されたＩＣチップ５ａおよび５ｂとの通信を、連結部３１４側のケース側面部３１７からリーダ／ライタ１０をかざすことで行えるようにする。
【０１１９】
上述した各実施の形態と同様に、ブースタアンテナは、フレキシブル基板上にアンテナコイル２１および２２と接続配線２４とを一体に形成したブースタアンテナユニット２０として実現される。ここでは例として、このブースタアンテナユニット２０を、ディスクトレイ３１３の裏面カバー部３１２の側に固着しているが、その反対面に固着してもよい。ブースタアンテナユニット２０は、アンテナコイル２１の中心孔２６にディスク保持部３１６が貫通して、このディスク保持部３１６の中心とアンテナコイル２１の中心とが一致するように配設される。これにより、アンテナコイル２１と、各光ディスク１ａおよび１ｂのアンテナコイル６ａおよび６ｂとが確実に電磁結合される。
【０１２０】
また、ブースタアンテナユニット２０のリーダ／ライタ１０側のアンテナコイル２２の形成領域は、アンテナコイル２１の形成領域に対して垂直な状態とされ、ケース閉塞時において、ケース側面部３１７の内面に当接または近接するように配設される。このような構造により、ケース閉塞時において、ケース側面部３１７の外側からリーダ／ライタ１０をかざすことで、光ディスク１ａおよび１ｂに搭載されたＩＣチップ５ａおよび５ｂと良好に通信できるようになる。
【０１２１】
なお、この光ディスクケース３００ａを製造する場合には、まず、表面カバー部３１１、裏面カバー部３１２、およびディスクトレイ３１３を、それぞれ射出成型によって形成した後、表面カバー部３１１に対して裏面カバー部３１２を取り付ける。一方で、ブースタアンテナユニット２０を形成し、アンテナコイル２２の形成領域を折り曲げた後、これをディスクトレイ３１３に接着する。そして、このディスクトレイ３１３を裏面カバー部３１２に対して取り付ける。
【０１２２】
ここで、本実施の形態では、ケース側面部３１７が裏面カバー部３１２と一体であり、これに対してディスクトレイ３１３が可動する構造となっている。このため、ブースタアンテナユニット２０においては、アンテナコイル２２の形成領域以外の領域がディスクトレイ３１３に接着される。なお、ブースタアンテナユニット２０における接続配線２４の形成領域は、ディスクトレイ３１３の下面にできるだけ密着するように、この面の形状に合わせて適宜折り曲げられる。
【０１２３】
以上のような光ディスクケース３００ａによれば、既存の収納ケースの構造や形状を変えることなく、この収納ケースに対して、あらかじめ折り曲げ加工したブースタアンテナユニット２０を固着するだけで、ケース側面部３１７の側からリーダ／ライタ１０をかざして、光ディスク１ａおよび１ｂに搭載されたＩＣチップ５ａおよび５ｂと通信できるようになる。また、１つのブースタアンテナユニット２０で２つのＩＣチップ５ａおよび５ｂのためのブースタアンテナを兼用することで、部品点数が減少するので、製造工程を簡略化し、製造コストを抑制することができる。
【０１２４】
［実施の形態３−２］
図１８および図１９は、それぞれ、実施の形態３−２に係る光ディスクケースの構成を示す斜視図および断面図である。なお、図１９は、光ディスクを収納し、ケースを閉塞した状態で、図１８中のＢ矢視から見た（図１８のほぼ手前側から見た）ときの、ケース中央部付近の断面を示している。また、図１８および図１９では、前述の各図に対応する部位には同じ符号を付して示している。
【０１２５】
本実施の形態の光ディスクケース３００ｂは、実施の形態３−１の光ディスクケース３００ａの変形例である。すなわち、光ディスクケース３００ｂは、表面カバー部３１１と裏面カバー部３１２との間にディスクトレイ３１３が設けられ、これらが連結部３１４において回転可能に連結されて、ディスクトレイ３１３の両面にそれぞれ光ディスク１ａおよび１ｂが保持される構成を有している。
【０１２６】
また、本実施の形態では、光ディスク１ａおよび１ｂに搭載されたＩＣチップ５ａおよび５ｂのそれぞれとの通信用に、ブースタアンテナユニット２０ａおよび２０ｂが個別に設けられている。ブースタアンテナユニット２０ａは、ディスクトレイ３１３の表面カバー部３１１の側に、ブースタアンテナユニット２０ｂは、ディスクトレイ３１３の裏面カバー部３１２の側に、それぞれ固着される。
【０１２７】
ブースタアンテナユニット２０ａは、アンテナコイル２１ａの中心孔２６ａにディスク保持部３１５が貫通して、このディスク保持部３１５の中心とアンテナコイル２１ａの中心とが一致するように配設される。同様に、ブースタアンテナユニット２０ｂは、アンテナコイル２１ｂの中心孔２６ｂにディスク保持部３１６が貫通して、このディスク保持部３１６の中心とアンテナコイル２１ｂの中心とが一致するように配設される。これにより、アンテナコイル２１ａとアンテナコイル６ａ、アンテナコイル２１ｂとアンテナコイル６ｂが、それぞれ電磁結合されるようになる。
【０１２８】
また、各ブースタアンテナユニット２０ａおよび２０ｂのリーダ／ライタ１０側のアンテナコイル２２ａおよび２２ｂの形成領域は、アンテナコイル２１ａおよび２１ｂの形成領域と垂直な状態とされ、ケース閉塞時にケース側面部３１７の内面に近接するように配設される。本実施の形態では、アンテナコイル２２ａおよび２２ｂは重なった状態で配設され、ケース閉塞時に、一方のアンテナコイル（ここではアンテナコイル２２ａ）がケース側面部３１７の内面に当接する。また、ブースタアンテナユニット２０ａの一部がディスクトレイ３１３を貫通することで、アンテナコイル２２ｂがディスクトレイ３１３の裏側に配設される。
【０１２９】
さらに、アンテナコイル２１ａおよび２１ｂと、ディスクトレイ３１３との間に、それぞれシート状の高透磁率部材３２１および３２２が配設されている。高透磁率部材３２１および３２２は、ブースタアンテナユニット２０ａおよび２０ｂにおけるアンテナコイル２１ａおよび２１ｂの各形成領域より少し大きめに整形されたシート状の部材であり、近接して対向しているアンテナコイル２１ａとアンテナコイル２１ｂとを、電気的および磁気的に分離する役割を果たす。
【０１３０】
このような構成により、アンテナコイル２１ａに対してアンテナコイル６ａが、アンテナコイル２１ｂに対してアンテナコイル６ｂが、それぞれ確実に電磁結合されるようになり、各アンテナコイル２１ａおよび２１ｂは、ディスクトレイ３１３を挟んだ他方のアンテナコイルにおける送受信信号の影響を受けにくくなる。従って、各ブースタアンテナユニット２０ａおよび２０ｂでの通信動作を安定させ、通信性能を向上させることができる。
【０１３１】
なお、高透磁率部材３２１および３２２は、それぞれディスクトレイ３１３側に接着剤などにより固着されてもよいし、あるいは、それぞれブースタアンテナユニット２０ａおよび２０ｂの側に固着され、ブースタアンテナユニット２０ａおよび２０ｂと一体化された状態でディスクトレイ３１３に固着されてもよい。
【０１３２】
また、高透磁率部材３２１および３２２は、例えば、軟磁性材料を磁性粉末として、その磁性粉末を焼結させる方法、あるいは、その磁性粉末をバインダーに混入して成形する方法などによって製造されればよい。軟磁性材料としては、例えば、センダスト（Ｆｅ−Ａｌ−Ｓｉ系）、パーマロイ（Ｎｉ−Ｆｅ系）、アモルファス合金（Ｆｅ−Ｓｉ−Ｂ系、Ｃｏ−Ｆｅ−Ｓｉ−Ｂ系など）、フェライト（Ｎｉ−Ｚｎフェライト、Ｍｎ−Ｚｎフェライトなど）などを用いることができる。
【０１３３】
磁性粉末を焼結させる方法（焼結体を形成する方法）としては、例えば、フェライト材料の微粉末を有機溶剤中に分散させて形成した金属ペーストをシート状に塗布した後、有機溶媒の加熱分解を行い、本焼成した焼結フェライト板を得る方法を利用できる。また、磁性粉末をバインダーに混入して成型する方法としては、例えば、バインダーとしてナイロン１２、ＰＰＳ（ポリフェニレンサルファイド）、ポリエチレンなどの合成樹脂材料を用い、磁性粉末をバインダーに混入させた上で、例えば射出成形などによりシート状またはプレート状に成形する方法を利用できる。
【０１３４】
なお、同様な磁性材料を用いたシート材は、例えば、ＲＦＩＤ用磁性シート、電磁ノイズ抑制シートなどとして広く流通しており、このような既製のシート材を利用して上記の高透磁率部材３２１および３２２を形成することもできる。
【０１３５】
［実施の形態３−３］
図２０および図２１は、それぞれ、実施の形態３−３に係る光ディスクケースの構成を示す斜視図および断面図である。なお、図２１は、光ディスクを収納し、ケースを閉塞した状態で、図２０中のＣ矢視から見た（図２０のほぼ手前側から見た）ときの、ケース中央部付近の断面を示している。また、図２０および図２１では、図１８および図１９に対応する部位には同じ符号を付して示している。
【０１３６】
本実施の形態の光ディスクケース３００ｃは、実施の形態３−３の光ディスクケース３００ｂの変形例である。すなわち、光ディスクケース３００ｃは、表面カバー部３１１と裏面カバー部３１２との間にディスクトレイ３１３が設けられ、これらが連結部３１４において回転可能に連結されて、ディスクトレイ３１３の両面にそれぞれ光ディスク１ａおよび１ｂが保持される構成を有している。また、ディスクトレイ３１３の両面にブースタアンテナユニット２０ａおよび２０ｂが固着され、ディスクトレイ３１３と、ブースタアンテナユニット２０ａおよび２０ｂのそれぞれとの間には、高透磁率部材３２１および３２２がそれぞれ配設されている。
【０１３７】
そして、この光ディスクケース３００ｃでは、アンテナコイル２２ａおよび２２ｂが、互いに重ならないように並列されている点が、実施の形態３−２の構成と異なる。この配置の場合、リーダ／ライタ１０のアンテナコイル１１をケース側面部３１７に対向させるときに、ケース側面部３１７におけるアンテナコイル２２ａの配置領域、またはアンテナコイル２２ｂの配置領域のいずれかに近接させることで、アンテナコイル１１と、アンテナコイル２２ａまたは２２ｂのいずれか一方との間の電磁結合度が高まる。従って、ＩＣチップ５ａおよび５ｂが同時通信に対応した機能を備えていなくても、リーダ／ライタ１０をかざす位置に応じて、このリーダ／ライタ１０と、所望のＩＣチップ５ａまたは５ｂとの間で選択的に良好な通信ができるようになる。
【０１３８】
［実施の形態４−１］
図２２および図２３は、それぞれ、実施の形態４−１に係る光ディスクケースの構成を示す斜視図および断面図である。なお、図２３は、光ディスクを収納し、ケースを閉塞した状態で、図２２中のＤ矢視から見た（図２２のほぼ手前側から見た）ときの、ケース中央部付近の断面を示している。また、図２２および図２３では、前述の各図に対応する部位には同じ符号を付して示している。
【０１３９】
図２２および図２３では、４枚の光ディスク１ａ〜１ｄが収納可能な光ディスクケース４００ａを示している。この光ディスクケース４００ａは、主に、表面カバー部４１１、裏面カバー部４１２、および中間トレイ部４１３を備えており、これらの部材によって閉塞時に箱形の外形となるように構成される。
【０１４０】
中間トレイ部４１３は、その両面が光ディスク１ａおよび１ｂをそれぞれ保持するためのディスク保持面とされ、各ディスク保持面の略中央部には、光ディスク１ａおよび１ｂの中央孔に嵌合するための、凸状のディスク保持部４２１および４２２がそれぞれ一体に形成されている。また、ディスク保持面の両側部には、ディスク保持面の両側方向に対してそれぞれ２枚分の光ディスクを収容可能とするだけの高さを持つケース側面部４３１および４３２が、一体に形成されている。
【０１４１】
ケース側面部４３１および４３２の一端には、接続部４３３および４３４が図中高さ方向に並列して設けられている。そして、表面カバー部４１１は接続部４３３において回転可能に接続され、裏面カバー部４１２は接続部４３４において回転可能に接続される。すなわち、表面カバー部４１１および裏面カバー部４１２が、それぞれ接続部４３３および４３４を中心として回転し、中間トレイ部４１３のディスク保持面と対向する状態となったとき、その内部が閉塞されるようになる。
【０１４２】
さらに、表面カバー部４１１および裏面カバー部４１２のそれぞれの内面（閉塞時に中間トレイ部４１３の側になる面）には、表面トレイ部４４１および裏面トレイ部４４２が嵌合されている。表面トレイ部４４１の内側面（表面カバー部４１１と反対の面）はディスク保持面とされ、その略中央部には、光ディスク１ｃの中央孔に嵌合するための、凸状のディスク保持部４２３が一体に形成されている。同様に、裏面トレイ部４４２の内側面（裏面カバー部４１２と反対の面）もディスク保持面とされ、その略中央部には、光ディスク１ｄの中央孔に嵌合するための、凸状のディスク保持部４２４が一体に形成されている。
【０１４３】
なお、これらの表面カバー部４１１、裏面カバー部４１２、中間トレイ部４１３、表面トレイ部４４１、および裏面トレイ部４４２は、例えばポリスチレン樹脂材料によって形成される。このような構成を持つケースは、主にＣＤ用の４枚用収納ケースとして、すでに広く流通しているものである。
【０１４４】
本実施の形態では、このような構成の光ディスクケース４００ａに対して、１つのブースタアンテナのみを搭載する。そして、この１つのブースタアンテナを用いて、光ディスク１ａ〜１ｄにそれぞれ搭載されたＩＣチップとの通信を、表面カバー部４１１、裏面カバー部４１２、および中間トレイ部４１３が連結している方向のケース側面部４３５から、リーダ／ライタ１０をかざすことで行えるようにする。
【０１４５】
上述した各実施の形態と同様に、ブースタアンテナは、フレキシブル基板上にアンテナコイル２１および２２と接続配線２４とを一体に形成したブースタアンテナユニット２０として実現される。ここでは例として、このブースタアンテナユニット２０を、中間トレイ部４１３の表面カバー部４１１側に固着しているが、その反対面に固着してもよい。ブースタアンテナユニット２０は、アンテナコイル２１の中心孔２６にディスク保持部４２１が貫通して、このディスク保持部４２１の中心とアンテナコイル２１の中心とが一致するように配設される。これにより、アンテナコイル２１と、各光ディスク１ａ〜１ｄのアンテナコイル６ａ〜６ｄとが確実に電磁結合される。
【０１４６】
また、ブースタアンテナユニット２０のリーダ／ライタ１０側のアンテナコイル２２の形成領域は、アンテナコイル２１の形成領域に対して垂直な状態とされ、ケース閉塞時において、ケース側面部４３５の内面に当接または近接するように配設される。このような構造により、ケース閉塞時において、ケース側面部４３５の外側からリーダ／ライタ１０をかざすことで、光ディスク１ａ〜１ｄにそれぞれ搭載されたＩＣチップと良好に通信できるようになる。
【０１４７】
なお、この光ディスクケース４００ａは、例えば以下のような工程により製造できる。まず、表面カバー部４１１、裏面カバー部４１２、中間トレイ部４１３、表面トレイ部４４１、および裏面トレイ部４４２を、それぞれ射出成型によって形成する。また、これらとは別に、ブースタアンテナユニット２０を形成しておく。次に、表面カバー部４１１に対して表面トレイ部４４１を取り付け、裏面カバー部４１２に対して裏面トレイ部４４２を取り付ける。一方、中間トレイ部４１３にはブースタアンテナユニット２０を固着する。次に、中間トレイ部４１３に対して表面カバー部４１１を接続し、中間トレイ部４１３に対して裏面カバー部４１２を取り付ける。
【０１４８】
以上のような光ディスクケース４００ａによれば、既存の収納ケースの構造や形状をほとんど変えることなく、この収納ケースに対してブースタアンテナユニット２０を固着するだけで、ケース側面部４３５の側からリーダ／ライタ１０をかざして、光ディスク１ａ〜１ｄにそれぞれ搭載されたＩＣチップと通信できるようになる。また、１つのブースタアンテナユニット２０で４つのＩＣチップとの通信のためのブースタアンテナを兼用することで、部品点数が減少するので、製造工程を簡略化し、製造コストを抑制することができる。
【０１４９】
［実施の形態４−２］
図２４および図２５は、それぞれ、実施の形態４−２に係る光ディスクケースの構成を示す斜視図および断面図である。なお、図２５は、光ディスクを収納し、ケースを閉塞した状態で、図２４中のＥ矢視から見た（図２４のほぼ手前側から見た）ときの、ケース中央部付近の断面を示している。また、図２４および図２５では、前述の各図に対応する部位には同じ符号を付して示している。
【０１５０】
本実施の形態の光ディスクケース４００ｂは、実施の形態４−１の光ディスクケース４００ａの変形例であり、ケース本体の構成は実施の形態４−１の場合と同じである。ただし、２つのブースタアンテナユニット２０ａおよび２０ｂを中間トレイ部４１３の両面にそれぞれ搭載し、さらに、各ユニットの間に高透磁率部材４５１および４５２を配設した点が、実施の形態４−１とは異なる。
【０１５１】
すなわち、ブースタアンテナユニット２０ａは、アンテナコイル２１ａの中心孔２６ａにディスク保持部４２１が貫通して、このディスク保持部４２１の中心とアンテナコイル２１ａの中心とが一致するように配設される。同様に、ブースタアンテナユニット２０ｂは、アンテナコイル２１ｂの中心孔にディスク保持部４２２が貫通して、このディスク保持部４２２の中心とアンテナコイル２１ｂの中心とが一致するように配設される。
【０１５２】
また、各ブースタアンテナユニット２０ａおよび２０ｂのリーダ／ライタ１０側のアンテナコイル２２ａおよび２２ｂの形成領域は、アンテナコイル２１ａおよび２１ｂの形成領域と垂直な状態とされ、ケース閉塞時にケース側面部４３５の内面に近接するように配設される。本実施の形態では、アンテナコイル２２ａおよび２２ｂは重なった状態で配設され、ケース閉塞時に、一方のアンテナコイル（ここではアンテナコイル２２ａ）がケース側面部４３５の内面に当接する。
【０１５３】
さらに、アンテナコイル２１ａおよび２１ｂと、中間トレイ部４１３との間には、それぞれシート状の高透磁率部材４５１および４５２が配設されている。高透磁率部材４５１および４５２は、ブースタアンテナユニット２０ａおよび２０ｂにおけるアンテナコイル２１ａおよび２１ｂの各形成領域より少し大きめに整形されたシート状の部材であり、近接して対向しているアンテナコイル２１ａとアンテナコイル２１ｂとを、電気的および磁気的に分離する役割を果たす。なお、これらの高透磁率部材４５１および４５２の材料や製造方法については、上記の実施の形態３−２で述べたことと同様である。
【０１５４】
このような構成により、アンテナコイル２１ａに対してアンテナコイル６ａが、アンテナコイル２１ｂに対してアンテナコイル６ｂが、それぞれ確実に電磁結合されるようになり、各アンテナコイル２１ａおよび２１ｂは、中間トレイ部４１３を挟んだ他方のアンテナコイルにおける送受信信号の影響を受けにくくなる。従って、各ブースタアンテナユニット２０ａおよび２０ｂでの通信動作を安定させ、通信性能を向上させることができる。
【０１５５】
なお、高透磁率部材４５１および４５２は、それぞれ中間トレイ部４１３の側に接着剤などにより固着されてもよいし、あるいは、それぞれブースタアンテナユニット２０ａおよび２０ｂの側に固着され、ブースタアンテナユニット２０ａおよび２０ｂと一体化された状態で中間トレイ部４１３に固着されてもよい。
【０１５６】
［実施の形態４−３］
図２６および図２７は、それぞれ、実施の形態４−３に係る光ディスクケースの構成を示す斜視図および断面図である。なお、図２７は、光ディスクを収納し、ケースを閉塞した状態で、図２６中のＦ矢視から見た（図２６のほぼ手前側から見た）ときの、ケース中央部付近の断面を示している。また、図２６および図２７では、図２４および図２５の各図に対応する部位には同じ符号を付して示している。
【０１５７】
本実施の形態の光ディスクケース４００ｃは、実施の形態４−２の光ディスクケース４００ｂの変形例であり、ケース本体の構成や、２つのブースタアンテナユニット２０ａおよび２０ｂを中間トレイ部４１３の両面にそれぞれ搭載する点、各ユニットの間に高透磁率部材４５１および４５２を配設した点は、実施の形態４−２と同じである。ただし、本実施の形態では、アンテナコイル２２ａおよび２２ｂが、互いに重ならないように、中間トレイ部４１３のそれぞれの面に分離されて配設されている点が、実施の形態４−２とはと異なる。
【０１５８】
この光ディスクケース４００ｃでも、ケース閉塞時において、ケース側面部４３５の外側からリーダ／ライタ１０をかざすことで、光ディスク１ａ〜１ｄにそれぞれ搭載されたＩＣチップと良好に通信することができる。
【０１５９】
［実施の形態４−４］
図２８および図２９は、それぞれ、実施の形態４−４に係る光ディスクケースの構成を示す斜視図および断面図である。なお、図２９は、光ディスクを収納し、ケースを閉塞した状態で、図２８中のＧ矢視から見た（図２８のほぼ手前側から見た）ときの、ケース中央部付近の断面を示している。また、図２８および図２９では、図２４〜図２７の各図に対応する部位には同じ符号を付して示している。
【０１６０】
本実施の形態の光ディスクケース４００ｄは、実施の形態４−３の光ディスクケース４００ｃの変形例であり、ケース本体の構成は実施の形態４−３と同じである。この光ディスクケース４００ｄでは、中間トレイ部４１３の両面にブースタアンテナユニット２０ａおよび２０ｂがそれぞれ固着されるのに加えて、表面トレイ部４４１の内面、および裏面トレイ部４４２の内面にも、それぞれブースタアンテナユニット２０ｃおよび２０ｄが固着されている。なお、実施の形態４−３と同様に、ブースタアンテナユニット２０ａおよび２０ｂの間には、高透磁率部材４５１および４５２が配設されている。
【０１６１】
ブースタアンテナユニット２０ｃおよび２０ｄの基本的な構成は、ブースタアンテナユニット２０ａおよび２０ｂと同様である。ブースタアンテナユニット２０ｃは、光ディスク１ｃ上のＩＣチップとの通信のためのアンテナコイル２１ｃの中心孔２６ｃに、ディスク保持部４２３が貫通して、このディスク保持部４２３の中心とアンテナコイル２１ｃの中心とが一致するように配設される。同様に、ブースタアンテナユニット２０ｄは、アンテナコイル２１ｄの中心孔にディスク保持部４２４が貫通して、このディスク保持部４２４の中心とアンテナコイル２１ｄの中心とが一致するように配設される。
【０１６２】
また、各ブースタアンテナユニット２０ｃおよび２０ｄのリーダ／ライタ１０側のアンテナコイル２２ｃおよび２２ｄの形成領域は、アンテナコイル２１ｃおよび２１ｄの形成領域に対して垂直になるようにあらかじめ折り曲げられて、ケース閉塞時にケース側面部４３５の内面に近接するように配設される。本実施の形態では、アンテナコイル２２ｃはアンテナコイル２２ａに並べて配設され、アンテナコイル２２ｄはアンテナコイル２２ｂに並べて配設されている。なお、各アンテナコイルの組がそれぞれ重なった状態で配設されてもよい。
【０１６３】
本実施の形態のように、アンテナコイル２２ａ〜２２ｄが互いに重ならないように配置されている場合、リーダ／ライタ１０のアンテナコイル１１をケース側面部４３５に対向させるときに、ケース側面部４３５におけるアンテナコイル２２ａの配置領域、またはアンテナコイル２２ｂの配置領域、またはアンテナコイル２２ｃの配置領域、またはアンテナコイル２２ｄの配置領域のいずれかに近接させることで、アンテナコイル１１と、アンテナコイル２２ａ〜２２ｄのいずれか１つとの間の電磁結合度を高めることができる。従って、ＩＣチップ５ａ〜５ｄが同時通信に対応した機能を備えていなくても、リーダ／ライタ１０をかざす位置に応じて、このリーダ／ライタ１０と、所望のＩＣチップとの間で選択的に通信できるようになる。
【０１６４】
そして、本実施の形態のように、ブースタアンテナユニット２０ｃおよび２０ｄを設けたことで、アンテナコイル２１ｃに対してアンテナコイル６ｃが、アンテナコイル２１ｄに対してアンテナコイル６ｄが、それぞれ確実に電磁結合されるようになる。このとき、実施の形態４−３のように、アンテナコイル２１ａおよび２１ｂによってアンテナコイル６ｃおよび６ｄにそれぞれ電磁結合された場合と比較して、アンテナコイル２１ａおよび２１ｂとの間で送受信される電波の強度が高まる。従って、ケース閉塞時において、ケース側面部４３５の外側からリーダ／ライタ１０をかざすことで、光ディスク１ａ〜１ｄにそれぞれ搭載されたＩＣチップ５ａ〜５ｄのすべてと、より良好に通信することができる。
【０１６５】
また、以上の実施の形態４−１〜４−４では、表面カバー部４１１および裏面カバー部４１２に対して、それぞれ表面トレイ部４４１および裏面トレイ部４４２を嵌合させる構成としたが、表面トレイ部４４１および裏面トレイ部４４２を用いずに、表面カバー部４１１および裏面カバー部４１２のそれぞれに、ディスク保持部４２３および４２４を一体に形成した構成の収納ケースも広く流通している。このような構成の収納ケースに対しても、上記のように１つまたは複数のブースタアンテナユニットを取り付けることで、上記各実施の形態と同様な効果を得ることができる。
【０１６６】
ところで、上記の実施の形態４−４の例では、ブースタアンテナユニット２０ｃと表面トレイ部４４１との間、および、ブースタアンテナユニット２０ｄと裏面トレイ部４４２との間にも、それぞれシート状の高透磁率部材４５３および４５４が配設されている。高透磁率部材４５３および４５４は、高透磁率部材４５１および４５２と同様に、アンテナコイル２２ｃおよび２２ｄの形成領域より大きく形成されている。
【０１６７】
これらの高透磁率部材４５３および４５４を設けることで、例えばこの光ディスクケース４００ｄを収納棚に並べて収納した場合に、隣接する光ディスクケース４００ｄ内のアンテナ同士を電気的、磁気的に分離することができる。従って、各光ディスクケース４００ｄのケース側面部４３５の外側にリーダ／ライタ１０を近づけたとき、所望の光ディスクケース４００ｄ（例えば、リーダ／ライタ１０に最も近い光ディスクケース４００ｄ）の中のＩＣチップとの間で、より安定的に通信できるようになる。
【０１６８】
このように、上記のブースタアンテナを備えた光ディスクケースを収納棚などに並列した場合には、各ケース内のブースタアンテナのうち、ＩＣチップとの通信を担うアンテナコイル同士が、コイル面を平行にした状態で互いに近接して配置されてしまう。このような状況では、外部のリーダ／ライタ１０から１つのブースタアンテナを介して通信を試みたとしても、そのブースタアンテナだけでなく、隣り合う別の光ディスクケースのブースタアンテナを介して、その光ディスクケース内のＩＣチップに通信のための磁界を誘導することもあり得る。この場合には、各ケース内のＩＣチップに対する電力の供給が不足する、あるいは、コリジョン状態が発生するなどして、所望のＩＣチップとの正常な通信ができなくなる。また、隣接する別のアンテナコイルに対応するＩＣチップの方が高い通信能力を持つ場合には、そのＩＣチップとの通信が行われてしまい、所望していたＩＣチップとの通信ができなくなってしまう。
【０１６９】
これに対して、光ディスクケースにおける主面と平行な外面（ただし、その面にアンテナコイルが配設されている場合には、そのアンテナコイルより外側）に高透磁率部材を配設することで、隣接する光ディスクケース内のアンテナコイル同士を電気的、磁気的に分離し、所望のＩＣチップと確実に通信できるようになる。このように高透磁率部材を配設する構成は、上記の実施の形態４−４に限らず、上述したすべての実施の形態において適用することもできる。また、この場合には、主面と平行な外面のうちのあらかじめ決められた一方（例えば、ブースタアンテナユニットに近い側の外面）に高透磁率部材が配設されてもよいが、できれば両側の外面に高透磁率部材が配設されることが望ましい。
【０１７０】
以下、このように光ディスクケースの外面部材にも高透磁率部材を配設した場合の構成を、実施の形態５−１〜５−６として例示する。
［実施の形態５−１］
図３０は、実施の形態５−１に係る光ディスクケースの構成を示す背面図である。なお、この図３０では、図６に対応する部位には同じ符号を付して示している。
【０１７１】
図３０に示す光ディスクケース１００ｅは、上述した実施の形態１−１の光ディスクケース１００ａに対して、各ブースタアンテナユニット２０ａおよび２０ｂのさらに外側に、シート状の高透磁率部材１６１ａおよび１６１ｂをそれぞれ配設したものである。高透磁率部材１６１ａは、ブースタアンテナユニット２０ａのアンテナコイル２１ａの形成領域より大きい円状のシート材として形成され、アンテナコイル２１ａと中心を合わせた状態で配設される。また、高透磁率部材１６１ｂは同様に、ブースタアンテナユニット２０ｂのアンテナコイル２１ｂの形成領域より大きい円状のシート材として形成され、アンテナコイル２１ｂと中心を合わせた状態で配設される。
【０１７２】
なお、ここでは、高透磁率部材１６１ａおよび１６１ｂはそれぞれ円状に形成されているが、各部材が少なくともアンテナコイル２１ａおよび２１ｂの形成領域を覆い尽くすような状態となれば、円環状などの他の形状とされてもよい。
【０１７３】
これらの高透磁率部材１６１ａおよび１６１ｂにより、この光ディスクケース１００ｅを例えば収納棚に並べて収納した場合でも、隣接する光ディスクケース１００ｅ内のブースタアンテナ（特にＩＣチップ側のアンテナコイル）同士を電気的、電磁的に分離することができる。従って、所望の光ディスクケース１００ｅのケース側面部１１３の外側からリーダ／ライタ１０を近接させることで、そのケース内のＩＣチップとより確実に通信できるようになる。
【０１７４】
これらの高透磁率部材１６１ａおよび１６１ｂは、それぞれブースタアンテナユニット２０ａおよび２０ｂに対して接着剤などであらかじめ固着された後、表面カバー部１１１および裏面カバー部１１２の各外面に固着される。あるいは、ブースタアンテナユニット２０ａおよび２０ｂをそれぞれ表面カバー部１１１および裏面カバー部１１２の外面に固着した後、それらの上に高透磁率部材１６１ａおよび１６１ｂがそれぞれ固着されてもよい。
【０１７５】
なお、この実施の形態５−１では、実施の形態１−１の構成に対して高透磁率部材１６１ａおよび１６１ｂを配設した例を示したが、これに限らず、例えば、ブースタアンテナユニットを実施の形態１−２のような形状とした場合などにも適用可能である。
【０１７６】
［実施の形態５−２］
図３１は、実施の形態５−２に係る光ディスクケースの構成を示す正面図である。なお、この図３１では、図５および図６に対応する部位には同じ符号を付して示している。
【０１７７】
図３１に示す光ディスクケース１００ｆは、上述した実施の形態１−３の光ディスクケース１００ｃに対して、ブースタアンテナユニット２０ａと表面カバー部１１１との間、および、ブースタアンテナユニット２０ｂと裏面カバー部１１２との間に、それぞれシート状の高透磁率部材１６２ａおよび１６２ｂを配設したものである。高透磁率部材１６２ａは、ブースタアンテナユニット２０ａのアンテナコイル２１ａの形成領域を覆い尽くす大きさの円環状のシート材として形成され、アンテナコイル２１ａと中心を合わせた状態で配設される。また、高透磁率部材１６２ｂは同様に、ブースタアンテナユニット２０ｂのアンテナコイル２１ｂの形成領域を覆い尽くす大きさの円環状のシート材として形成され、アンテナコイル２１ｂと中心を合わせた状態で配設される。
【０１７８】
これらの高透磁率部材１６２ａおよび１６２ｂにより、この光ディスクケース１００ｆを例えば収納棚に並べて収納した場合でも、隣接する光ディスクケース１００ｆ内のブースタアンテナ（特にＩＣチップ側のアンテナコイル）同士を電気的、電磁的に分離することができ、リーダ／ライタ１０を用いて所望のＩＣチップと確実に通信できるようになる。
【０１７９】
これらの高透磁率部材１６２ａおよび１６２ｂは、それぞれブースタアンテナユニット２０ａおよび２０ｂに対して接着剤などであらかじめ固着された後、表面カバー部１１１および裏面カバー部１１２の各内面に固着される。あるいは、表面カバー部１１１および裏面カバー部１１２の各内面に高透磁率部材１６２ａおよび１６２ｂを固着した後に、その上からブースタアンテナユニット２０ａおよび２０ｂをさらに固着してもよい。
【０１８０】
なお、この実施の形態５−２では、実施の形態１−３の構成に対して高透磁率部材１６２ａおよび１６２ｂを配設した例を示したが、これに限らず、例えば、ブースタアンテナユニットを実施の形態１−４のような形状とした場合などにも適用可能である。また、この実施の形態５−２において、高透磁率部材１６２ａおよび１６２ｂを、表面カバー部１１１および裏面カバー部１１２のそれぞれの内面ではなく、外面に貼付する構成としてもよい。
【０１８１】
［実施の形態５−３］
図３２は、実施の形態５−３に係る光ディスクケースの構成を示す背面図である。また、図３３は、実施の形態５−３において、ブースタアンテナユニットが搭載されたカード部材の構成を示す図である。なお、これらの図３２および図３３では、図６に対応する部位には同じ符号を付して示している。
【０１８２】
図３２に示す光ディスクケース１００ｇは、上述した実施の形態１−５の光ディスクケース１００ｅに対して、その外周部に挿入されたカード部材１５３に、シート状の高透磁率部材１６３ａおよび１６３ｂを配設したものである。高透磁率部材１６３ａは、ブースタアンテナユニット２０ａのアンテナコイル２１ａの形成領域より大きい円状のシート材として形成され、アンテナコイル２１ａと中心を合わせた状態で、このアンテナコイル２１ａとカード部材１５３のケース側の面との間に配設される。また、高透磁率部材１６３ｂは同様に、ブースタアンテナユニット２０ｂのアンテナコイル２１ｂの形成領域より大きい円状のシート材として形成され、アンテナコイル２１ｂと中心を合わせた状態で、このアンテナコイル２１ｂとカード部材１５３のケース側の面との間に配設される。
【０１８３】
なお、ここでは、高透磁率部材１６３ａおよび１６３ｂはそれぞれ円状に形成されているが、各部材が少なくともアンテナコイル２１ａおよび２１ｂの形成領域を覆い尽くすような状態となっていれば、円環状などの他の形状とされてもよい。
【０１８４】
これらの高透磁率部材１６３ａおよび１６３ｂにより、この光ディスクケース１００ｇを例えば収納棚に並べて収納した場合でも、隣接する光ディスクケース１００ｇ内のブースタアンテナ（特にＩＣチップ側のアンテナコイル）同士を電気的、電磁的に分離することができ、リーダ／ライタ１０を用いて所望のＩＣチップと確実に通信できるようになる。
【０１８５】
これらの高透磁率部材１６３ａおよび１６３ｂは、それぞれブースタアンテナユニット２０ａおよび２０ｂに対して接着剤などであらかじめ固着された後、カード部材１５３に固着される。あるいは、カード部材１５３に対して高透磁率部材１６３ａおよび１６３ｂが固着された後、その上にブースタアンテナユニット２０ａおよび２０ｂを固着してもよい。そして、ブースタアンテナユニット２０ａおよび２０ｂと高透磁率部材１６３ａおよび１６３ｂとが固着されたカード部材１５３（図３３参照）が、光ディスクケース１００ｇのケース本体と透明シート１５１との間に挿入される。
【０１８６】
従って、あらかじめブースタアンテナユニット２０ａおよび２０ｂと高透磁率部材１６３ａおよび１６３ｂとを取り付けたカード部材１５３を、ケース本体と別の商品として流通させることで、既存のトールケース型の光ディスクケースに対してＩＣチップとの高性能な通信機能を容易に付加することが可能になる。
【０１８７】
なお、この実施の形態５−３では、実施の形態１−５の構成に対して高透磁率部材１６３ａおよび１６３ｂを配設した例を示したが、これに限らず、例えば、ブースタアンテナユニットを実施の形態１−６のような形状とした場合などにも適用可能である。
【０１８８】
［実施の形態５−４］
図３４は、実施の形態５−４に係る光ディスクケースの構成を示す斜視図である。なお、図３４では、図１５に対応する部位には同じ符号を付して示している。
【０１８９】
図３４に示す光ディスクケース２００ａは、上述した実施の形態２の光ディスクケース２００に対して、各ブースタアンテナユニット２０ａおよび２０ｂのさらに外側に、シート状の高透磁率部材２２１ａおよび２２１ｂをそれぞれ配設したものである。高透磁率部材２２１ａは、ブースタアンテナユニット２０ａのアンテナコイル２１ａの形成領域を覆い尽くす大きさの円環状のシート材として形成され、アンテナコイル２１ａと中心を合わせた状態で配設される。また、高透磁率部材２２１ｂは同様に、ブースタアンテナユニット２０ｂのアンテナコイル２１ｂの形成領域を覆い尽くす大きさの円環状のシート材として形成され、アンテナコイル２１ｂと中心を合わせた状態で配設される。
【０１９０】
これらの高透磁率部材２２１ａおよび２２１ｂにより、この光ディスクケース２００ａを例えば収納棚に並べて収納した場合でも、隣接する光ディスクケース２００ａ内のブースタアンテナ（特にＩＣチップ側のアンテナコイル）同士を電気的、電磁的に分離することができ、リーダ／ライタ１０を用いて所望のＩＣチップと確実に通信できるようになる。
【０１９１】
これらの高透磁率部材２２１ａおよび２２１ｂは、それぞれブースタアンテナユニット２０ａおよび２０ｂに対して接着剤などであらかじめ固着された後、表面カバー部２１１および裏面カバー部２１２の各内面に固着される。あるいは、表面カバー部２１１および裏面カバー部２１２の各内面に高透磁率部材２２１ａおよび２２１ｂを固着した後に、その上からブースタアンテナユニット２０ａおよび２０ｂをさらに固着してもよい。
【０１９２】
なお、この実施の形態５−４では、実施の形態２の構成に対して高透磁率部材２２１ａおよび２２１ｂを配設した例を示したが、これに限らず、例えば、ブースタアンテナユニット２０ａおよび２０ｂのアンテナコイル２２ａおよび２２ｂが、図９の例のように重なり合うような場合にも適用できる。また、この実施の形態５−４において、高透磁率部材２２１ａおよび２２１ｂを、表面カバー部２１１および裏面カバー部２１２のそれぞれの内面ではなく、外面に貼付する構成としてもよい。
【０１９３】
［実施の形態５−５］
図３５は、実施の形態５−５に係る光ディスクケースの構成を示す斜視図である。なお、図３５では、図１８に対応する部位には同じ符号を付して示している。
【０１９４】
図３５に示す光ディスクケース３００ｄは、上述した実施の形態３−２の光ディスクケース３００ａに対して、それぞれ光ディスクを挟んでブースタアンテナユニット２０ａおよび２０ｂのさらに外側に、シート状の高透磁率部材３３１ａおよび３３１ｂを配設したものである。
【０１９５】
高透磁率部材３３１ａは、ブースタアンテナユニット２０ａのアンテナコイル２１ａの形成領域を覆い尽くす大きさの円状のシート材として形成され、表面カバー部３１１と裏面カバー部３１２とが閉塞されたときに、アンテナコイル２１ａと中心同士が合うような位置に配設される。本実施の形態では、表面カバー部３１１の内面に収容可能な紙などによるカード部材３４１ａに、高透磁率部材３３１ａを貼付する構成としている。
【０１９６】
表面カバー部３１１の内面は、例えば光ディスク１ａおよび１ｂに収録されたコンテンツを説明するための冊子などを収容するための冊子収容面となっており、この面には冊子を保持するための保持部材３５１ａおよび３５１ｂが、表面カバー部３１１と一体に形成されている。高透磁率部材３３１ａがあらかじめ貼付されたカード部材３４１ａは、表面カバー部３１１と保持部材３５１ａおよび３５１ｂとの間に、図中の矢印Ｆの方向に挿入され、所定の位置で係止される。
【０１９７】
また、高透磁率部材３３１ｂについても同様に、紙などによるカード部材３４１ｂにあらかじめ貼付され、このカード部材３４１ｂが裏面カバー部３１２の内面に収容される。高透磁率部材３３１ｂは、ブースタアンテナユニット２０ｂのアンテナコイル２１ｂの形成領域を覆い尽くす大きさの円状のシート材として形成され、表面カバー部３１１と裏面カバー部３１２とが閉塞されたときに、アンテナコイル２１ｂと中心同士が合うような位置に配設される。
【０１９８】
これらの高透磁率部材３３１ａおよび３３１ｂにより、この光ディスクケース３００ｄを例えば収納棚に並べて収納した場合でも、隣接する光ディスクケース３００ｄ内のブースタアンテナ（特にＩＣチップ側のアンテナコイル）同士を電気的、電磁的に分離することができ、リーダ／ライタ１０を用いて所望のＩＣチップと確実に通信できるようになる。
【０１９９】
また、高透磁率部材３３１ａおよび３３１ｂを、あらかじめカード部材に貼付した状態で、表面カバー部３１１および裏面カバー部３１２のそれぞれの内面に配設する構成としたことで、既存の光ディスクケースの構造を全く変更することなく、高透磁率部材３３１ａおよび３３１ｂを容易に搭載させることができる。
【０２００】
なお、この図３５における高透磁率部材３３１ａおよび３３１ｂのどちらについても、カード部材ではなく、表面カバー部３１１あるいは裏面カバー部３１２に対して直接貼付するようにしてもよい。
【０２０１】
また、この実施の形態５−５では、実施の形態３−２の構成に対して高透磁率部材３３１ａおよび３３１ｂを配設した例を示したが、これに限らず、例えば、ブースタアンテナユニット２０ａおよび２０ｂのアンテナコイル２２ａおよび２２ｂを、図２０のように互いに重なり合わないような形状としてもよい。あるいは、図１６のように、１つのブースタアンテナユニット２０によって２つのＩＣチップの通信機能を兼用する構成としてもよい。
【０２０２】
［実施の形態５−６］
図３６は、実施の形態５−６に係る光ディスクケースの構成を示す斜視図である。なお、図３６では、図２４に対応する部位については同じ符号を付して示している。
【０２０３】
図３６に示す光ディスクケース４００ｅは、上述した実施の形態４−２の光ディスクケース４００ｂに対して、それぞれ光ディスクを挟んでブースタアンテナユニット２０ａおよび２０ｂのさらに外側に、シート状の高透磁率部材４６１ａおよび４６１ｂを配設したものである。
【０２０４】
高透磁率部材４６１ａは、ブースタアンテナユニット２０ａのアンテナコイル２１ａの形成領域を覆い尽くす大きさの円環状のシート材として形成され、ケース閉塞時において、アンテナコイル２１ａと中心同士が合う状態となるように、ディスク保持部４２３の周囲に貼付される。また、高透磁率部材４６１ｂも同様に、ブースタアンテナユニット２０ｂのアンテナコイル２１ｂの形成領域を覆い尽くす大きさの円環状のシート材として形成され、ケース閉塞時において、アンテナコイル２１ｂと中心同士が合う状態となるように、ディスク保持部４２４の周囲に貼付される。
【０２０５】
これらの高透磁率部材４６１ａおよび４６１ｂにより、この光ディスクケース４００ｅを例えば収納棚に並べて収納した場合でも、隣接する光ディスクケース４００ｅ内のブースタアンテナ（特にＩＣチップ側のアンテナコイル）同士を電気的、電磁的に分離することができ、リーダ／ライタ１０を用いて所望のＩＣチップと確実に通信できるようになる。
【０２０６】
なお、この図３６における高透磁率部材４６１ａを、表面トレイ部４４１のケース内面側ではなく、そのケース外面側、もしくは、表面カバー部４１１の一方の面に貼付する構成としてもよい。または、表面トレイ部４４１と表面カバー部４１１との間にカード部材を挿入し、このカード部材に高透磁率部材４６１ａをあらかじめ貼付しておいてもよい。また、高透磁率部材４６１ｂについても同様に、裏面トレイ部４４２のケース内面側ではなく、そのケース外面側、もしくは、裏面カバー部４１２の一方の面に貼付する構成としてもよい。または、裏面トレイ部４４２と裏面カバー部４１２との間にカード部材を挿入し、このカード部材に高透磁率部材４６１ｂをあらかじめ貼付しておいてもよい。これらの場合、高透磁率部材４６１ａおよび４６１ｂの形状を、円環状ではなく、円状などの他の形状とすることもできる。
【０２０７】
また、この実施の形態５−６では、実施の形態４−２の構成に対して高透磁率部材４６１ａおよび４６１ｂを配設した例を示したが、これに限らず、例えば、ブースタアンテナユニットを実施の形態４−３のような形状とした場合などにも適用可能である。また、実施の形態４−１のように、１つのブースタアンテナユニット２０によって４つのＩＣチップの通信機能を兼用する構成としてもよい。
【０２０８】
ところで、上記の実施の形態５−５および５−６のように、表面カバー部と裏面カバー部との間に別に設けたトレイ部にブースタアンテナが搭載された構成の場合、ブースタアンテナのＩＣチップ側のアンテナコイルと表面カバー部や裏面カバー部との間には、ある程度の距離が生じる。このため、このような構成の光ディスクケースを収納棚などに並列して配置した場合には、隣接するケース内のＩＣチップ側アンテナコイル同士の間には、例えば２ｍｍ〜１０ｍｍ程度の距離が生じることになり、その距離の分だけ、互いのアンテナコイルに与える電気的、電磁的影響は少なくなる。
【０２０９】
従って、この場合には、ＩＣチップ側アンテナコイルからケース外部への電磁界を完全にシールドするだけの厚さを高透磁率部材に持たせる必要はなく、高透磁率部材をより薄くしても、隣接する光ディスクケース内のアンテナコイルと意図せずに通信してしまう、あるいはコリジョン発生により通信不能になるといった事態を防止できる。すなわち、これらの高透磁率部材については、電磁界の漏れを弱める効果が得られ、通信対象ではない隣接する光ディスクケース内のＩＣチップとの通信が実質的に不可能となる厚さを備えていれば、より薄いものを用いることも可能である。
【０２１０】
例えば、ＩＣチップの通信周波数を１３．５６ＭＨｚとした場合、高透磁率部材の厚さは、既存の光ディスクケースの厚さを変えずに配設したいという観点から、概ね１００μｍ以下とすることが望ましい。しかし、実施の形態５−５あるいは５−６のような構造の光ディスクケースでは、高透磁率部材の厚さを５０μｍ以下としても、隣接するケース内のＩＣチップ側アンテナコイルの間において十分なシールド効果を得ることが可能である。また、高透磁率部材を薄くすることで、材料コストを抑制することもできる。
【０２１１】
また、上記の実施の形態３−２〜３−３，４−２〜４−４，５−１〜５−６においては、高透磁率部材は、アンテナコイル２１の形成領域の大きさと同じか、あるいはそれより広いことが望ましい。しかしながら、ケース形状に由来する制約やコストに由来する制約などがある場合には、これらの高透磁率部材をアンテナコイル２１の形成領域より狭いものとしてもよい。ただし、ケース閉塞時において、高透磁率部材とアンテナコイル２１の形成領域とが、互いに中心が合うように配設されることが望ましい。
【０２１２】
すなわち、上記の高透磁率部材を配設することで、ある１つのアンテナコイルを通じてＩＣチップと通信する際に、そのアンテナコイルのＩＣチップとは反対側に対して電磁界を完全にシールドできなくても、通信対象ではない隣接するＩＣチップに対して、ある程度電磁界を弱める効果が得られればよい。従って、高透磁率部材の大きさとしては、隣接するＩＣチップに対応するアンテナコイルに対する電磁界の漏れを、そのＩＣチップが実質的に通信不可能な程度のレベルに抑制する効果が得られる大きさとされていればよい。
【０２１３】
このように、高透磁率部材の厚さまたは大きさ、あるいはそれらの両方を適宜調整することで、得られる電磁界のシールド効果を調整することができるので、通信対象ではない隣接するＩＣチップに対応するアンテナコイルに対して実質的に通信できなくなるように、上記の各設計値を適宜選択することが可能である。
【０２１４】
以上説明した各実施の形態によれば、すでに広く普及している各種光ディスクケースの構造を大きく変えることなく、その光ディスクケースにブースタアンテナを簡易な工程で搭載させることが可能となり、これによって、光ディスクケースの側面（ケース主面に対して垂直な面）からリーダ／ライタを近接させて光ディスク上のＩＣチップと通信することができるようになる。
【０２１５】
このため、光ディスクケースの製造に必要な金型や、製造工程、製造設備などの大幅な変更が必要とならないので、従来と比較して製造コストを大きく上昇させることなく、上述したような付加機能を備えた光ディスクケースを製造することができる。
【０２１６】
また、ケース外面側の部材に高透磁率シート部材をさらに設けることで、光ディスクケースを収納棚などに並列して収納した場合でも、所望の光ディスクケース内のＩＣチップと確実に、かつ、安定的に通信できるようになり、このような効果を、既存の光ディスクケースの構造を大きく変えることなく、容易に得ることができる。
【０２１７】
また、ユーザの観点では、上述した付加機能が備えられたにもかかわらず、光ディスクケースの持ち運びや開閉操作、光ディスクの着脱操作に関しては従来と何ら変わることがないというメリットがある。さらに、光ディスクケースの形状や大きさについても特に変更されないので、すでに光ディスクケースが収納されている収納棚に、付加機能が備えられた光ディスクケースを問題なく収納することができ、収納棚を買い換えるといった不都合が生じない。
【０２１８】
また、光ディスク（または光ディスクに収録したコンテンツ）の販売店などに設けられた収納棚や、光ディスクケース（またはこのケースに収容された状態の光ディスク）を輸送するためのケース（段ボール箱などの梱包材を含む輸送用コンテナなど）についても、従来のものをそのまま使用できる。従って、流通過程でのコストをまったく上昇させることなく、ＩＣチップを用いた商品管理など、上記の付加機能によるメリットを流通側も享受できる。
【０２１９】
なお、上記の各実施の形態では、ブースタアンテナの備える非接触型ＩＣチップ側、リーダ／ライタ側の各アンテナをコイル状（スパイラル状）としたが、これらのアンテナはこのような形状に限定されるものではなく、非接触型ＩＣチップの通信仕様（通信周波数、通信に必要な電波・電磁波の強度、アンテナによる電波・電磁波の放射パターンなど）に応じて適宜選択されればよい。例えば、ブースタアンテナの非接触型ＩＣチップ側のアンテナは、光ディスクケースのディスク保持部を中心としてその周囲に近接して配設されればよい。そして、そのアンテナとしてダイポール型アンテナを用いた場合には、例えば単純な直線状ではなく、折り曲げた形状や曲線状として、ディスク保持部の周囲に近接して配置されればよい。
【図面の簡単な説明】
【０２２０】
【図１】非接触型ＩＣチップが搭載された光ディスクの構成例を示す平面図である。
【図２】非接触で通信する際のＩＣチップ側およびリーダ／ライタ側のアンテナ配置について説明するための図である。
【図３】ブースタアンテナを介したＩＣチップとリーダ／ライタとの通信に必要な回路の構成を概略的に示す図である。
【図４】ブースタアンテナユニットの基本的な構成を示す図である。
【図５】実施の形態１−１に係る光ディスクケースの構成を示す正面図である。
【図６】実施の形態１−１に係る光ディスクケースの構成を示す背面図である。
【図７】実施の形態１−１に係る光ディスクケースの外形を示す図である。
【図８】実施の形態１−２に係る光ディスクケースの構成を示す背面図である。
【図９】実施の形態１−３に係る光ディスクケースの構成を示す正面図である。
【図１０】実施の形態１−４に係る光ディスクケースの構成を示す正面図である。
【図１１】実施の形態１−５に係る光ディスクケースの構成を示す背面図である。
【図１２】実施の形態１−５において、ブースタアンテナユニットが搭載されたカード部材の構成を示す図である。
【図１３】実施の形態１−６に係る光ディスクケースの構成を示す背面図である。
【図１４】実施の形態１−６において、ブースタアンテナユニットが搭載されたカード部材の構成を示す図である。
【図１５】実施の形態２に係る光ディスクケースの構成を示す斜視図である。
【図１６】実施の形態３−１に係る光ディスクケースの構成を示す斜視図である。
【図１７】実施の形態３−１に係る光ディスクケースの構成を示す断面図である。
【図１８】実施の形態３−２に係る光ディスクケースの構成を示す斜視図である。
【図１９】実施の形態３−２に係る光ディスクケースの構成を示す断面図である。
【図２０】実施の形態３−３に係る光ディスクケースの構成を示す斜視図である。
【図２１】実施の形態３−３に係る光ディスクケースの構成を示す断面図である。
【図２２】実施の形態４−１に係る光ディスクケースの構成を示す斜視図である。
【図２３】実施の形態４−１に係る光ディスクケースの構成を示す断面図である。
【図２４】実施の形態４−２に係る光ディスクケースの構成を示す斜視図である。
【図２５】実施の形態４−２に係る光ディスクケースの構成を示す断面図である。
【図２６】実施の形態４−３に係る光ディスクケースの構成を示す斜視図である。
【図２７】実施の形態４−３に係る光ディスクケースの構成を示す断面図である。
【図２８】実施の形態４−４に係る光ディスクケースの構成を示す斜視図である。
【図２９】実施の形態４−４に係る光ディスクケースの構成を示す断面図である。
【図３０】実施の形態５−１に係る光ディスクケースの構成を示す背面図である。
【図３１】実施の形態５−２に係る光ディスクケースの構成を示す正面図である。
【図３２】実施の形態５−３に係る光ディスクケースの構成を示す背面図である。
【図３３】実施の形態５−３において、ブースタアンテナユニットが搭載されたカード部材の構成を示す図である。
【図３４】実施の形態５−４に係る光ディスクケースの構成を示す斜視図である。
【図３５】実施の形態５−５に係る光ディスクケースの構成を示す斜視図である。
【図３６】実施の形態５−６に係る光ディスクケースの構成を示す斜視図である。
【符号の説明】
【０２２１】
１，１ａ〜１ｄ……光ディスク、２，２６，２６ａ〜２６ｄ……中心孔、３……信号記録領域、４……チャッキング領域、５，５ａ，５ｂ……ＩＣチップ、６，６ａ〜６ｄ，１１，２１，２１ａ〜２１ｄ，２２，２２ａ〜２２ｄ……アンテナコイル、７ａ，７ｂ，１３，２３，２３ａ，２３ｂ……同調回路、１０……リーダ／ライタ、１２……主回路、２０，２０ａ〜２０ｄ……ブースタアンテナユニット、２４，２４ａ，２４ｂ……接続配線、２５，２５ａ，２５ｂ……フレキシブル基板、２７，２７ａ，２７ｂ，１１４，１１５……折り曲げ部、１００，１００ａ〜１００ｆ……光ディスクケース、１１１……表面カバー部、１１２……裏面カバー部、１１３……ケース側面部、１２１，１３１……ディスク載置面、１２２，１３２……ディスク保持部、１４１，１４２……係止部、１５１……透明シート、１５２……開放端部、１５３……カード部材
【図１】
2008251146.tif 000003
【図２】
2008251146.tif 000004
【図３】
2008251146.tif 000005
【図４】
2008251146.tif 000006
【図５】
2008251146.tif 000007
【図６】
2008251146.tif 000008
【図７】
2008251146.tif 000009
【図８】
2008251146.tif 000010
【図９】
2008251146.tif 000011
【図１０】
2008251146.tif 000012
【図１１】
2008251146.tif 000013
【図１２】
2008251146.tif 000014
【図１３】
2008251146.tif 000015
【図１４】
2008251146.tif 000016
【図１５】
2008251146.tif 000017
【図１６】
2008251146.tif 000018
【図１７】
2008251146.tif 000019
【図１８】
2008251146.tif 000020
【図１９】
2008251146.tif 000021
【図２０】
2008251146.tif 000022
【図２１】
2008251146.tif 000023
【図２２】
2008251146.tif 000024
【図２３】
2008251146.tif 000025
【図２４】
2008251146.tif 000026
【図２５】
2008251146.tif 000027
【図２６】
2008251146.tif 000028
【図２７】
2008251146.tif 000029
【図２８】
2008251146.tif 000030
【図２９】
2008251146.tif 000031
【図３０】
2008251146.tif 000032
【図３１】
2008251146.tif 000033
【図３２】
2008251146.tif 000034
【図３３】
2008251146.tif 000035
【図３４】
2008251146.tif 000036
【図３５】
2008251146.tif 000037
【図３６】
2008251146.tif 000038